(57)【要約】  本発明は、改変された表現型を有する花を含む改変されたカスミソウ植物であって、改変された表現型を有する花がベータカロチンの上昇した量を含み、ベータカロチンの上昇した量が対照のカスミソウ花におけるベータカロチンの濃度と比較してベータカロチンの濃度の少なくとも２倍である改変されたカスミソウ植物、及び改変されたカスミソウ植物を選択するための方法を提供する。【選択図】図１
2018506268.tif 000002
【特許請求の範囲】
【請求項１】
改変された表現型を有する花を含むカスミソウ植物であって、改変された表現型を有する前記花はベータカロチンの上昇した量を含み、前記ベータカロチンの上昇した量が対照のカスミソウ花中の前記ベータカロチン濃度と比較して前記ベータカロチン濃度の少なくとも２倍である、カスミソウ植物。
【請求項２】
前記対照のカスミソウ花が、カスミソウの栽培品種ミリオンスターズである、請求項１に記載の植物。
【請求項３】
前記カスミソウ花が、開花期にあるか又はつぼみが閉じている時期にある、請求項１に記載の植物。
【請求項４】
前記少なくとも２倍が、少なくとも４倍である、請求項１に記載の植物。
【請求項５】
改変された表現型を有する前記花が、クロロフィルＡの上昇した量をさらに含み、前記クロロフィルＡの上昇した量が開花期にあるか又はつぼみが閉じている時期にあるカスミソウの栽培品種ミリオンスターズ（Ｍ．Ｓ）中の前記クロロフィルＡ濃度と比較して前記クロロフィルＡ濃度の少なくとも２倍である、請求項１に記載の植物。
【請求項６】
改変された表現型を有する前記花が、クロロフィルＢの上昇した量をさらに含み、前記クロロフィルＢの上昇した量が開花期にあるか又はつぼみが閉じている時期にあるカスミソウの栽培品種ミリオンスターズ（Ｍ．Ｓ）中の前記クロロフィルＢ濃度と比較して前記クロロフィルＢ濃度の少なくとも２倍である、請求項１に記載の植物。
【請求項７】
改変された表現型を有する前記花が、花弁中に全色素及び／又はカロテノイド含有量の８〜３０％のα−トコフェロールをさらに含む、請求項１に記載の植物。
【請求項８】
改変された表現型を有する前記花が、花弁中に全色素、カロテノイド及び／又はその両方の含有量の０．５〜４％のルテインを含む、請求項１に記載の植物。
【請求項９】
改変された表現型を有する前記花が、花弁中に全色素、カロテノイド又はその両方の含有量の３０〜５０％のベータカロチンを含む、請求項１に記載の植物。
【請求項１０】
改変された表現型を有する前記花が、ゼアキサンチンの上昇した量をさらに含み、前記ゼアキサンチンの上昇した量が開花期にあるか又はつぼみが閉じている時期にあるカスミソウの栽培品種ミリオンスターズ（Ｍ．Ｓ）中の前記ゼアキサンチン濃度と比較して前記ゼアキサンチン濃度の少なくとも１０倍である、請求項１に記載の植物。
【請求項１１】
改変された表現型を有する前記花が、ビオラキサンチンの上昇した量をさらに含み、前記ビオラキサンチンの上昇した量が開花期にあるか又はつぼみが閉じている時期にあるカスミソウの栽培品種ミリオンスターズ（Ｍ．Ｓ）中の前記ビオラキサンチン濃度と比較して前記ビオラキサンチン濃度の少なくとも１．５倍である、請求項１に記載の植物。
【請求項１２】
改変された表現型を有する前記花の花弁表面積の少なくとも１５％が、緑色、黄色、オレンジ色又はそれらの任意の組み合わせである、請求項１に記載の植物。
【請求項１３】
改変された表現型を有する前記花の花弁表面積の少なくとも１０％が、白色、黄色、又はその両方である、請求項１に記載の植物。
【請求項１４】
改変された表現型をもつ花を有する子孫植物を生成することができるカスミソウ植物の親世代についてカスミソウ植物の集団をスクリーニングするための方法であって、改変された表現型を有する前記花がベータカロチンの上昇した量を含み、前記ベータカロチンの上昇した量が対照のカスミソウ花中の前記ベータカロチン濃度と比較して前記ベータカロチン濃度の少なくとも２倍であり、（ａ）カスミソウ植物の前記個々の親世代から切花を準備すること；並びに（ｂ）水、１０〜５０ｍｇ／ｌのジベレリン酸、及び５〜２０ｍｇ／ｌのベンジルアデニンを含む組成物とカスミソウ植物の前記個々の親世代からの各切花を少なくとも２日間接触させること、を含み、白色とは対照的にクリーム色、黄色、又はそれらの組み合わせを有する花弁を発現する花が改変された表現型をもつ花を有する子孫植物を生成することができるカスミソウ植物の親世代として選択される、方法。
【請求項１５】
前記対照のカスミソウが、カスミソウの栽培品種ミリオンスターズ（Ｍ．Ｓ）である、請求項１４に記載の方法。
【請求項１６】
前記カスミソウが、開花期にあるか又はつぼみが閉じている時期にある、請求項１４に記載の方法。
【請求項１７】
前記少なくとも２倍が、少なくとも４倍である、請求項１４に記載の方法。
【請求項１８】
改変された表現型を有する前記花が、クロロフィルＡの上昇した量をさらに含み、前記クロロフィルＡの上昇した量が開花期にあるか又はつぼみが閉じている時期にあるカスミソウの栽培品種ミリオンスターズ（Ｍ．Ｓ）中の前記クロロフィルＡ濃度と比較して前記クロロフィルＡ濃度の少なくとも２倍である、請求項１４に記載の方法。
【請求項１９】
改変された表現型を有する前記花が、クロロフィルＢの上昇した量をさらに含み、前記クロロフィルＢの上昇した量が開花期にあるか又はつぼみが閉じている時期にあるカスミソウの栽培品種ミリオンスターズ（Ｍ．Ｓ）中の前記クロロフィルＢ濃度と比較して前記クロロフィルＢ濃度の少なくとも２倍である、請求項１４に記載の方法。
【請求項２０】
改変された表現型を有する前記花が、ベータカロチンの上昇した量をさらに含み、前記ベータカロチンの上昇した量が開花期にあるか又はつぼみが閉じている時期にあるカスミソウの栽培品種ミリオンスターズ（Ｍ．Ｓ）中の前記ベータカロチン濃度と比較して前記ベータカロチン濃度の少なくとも２倍である、請求項１４に記載の方法。
【請求項２１】
改変された表現型を有する前記花が、花弁中に全カロテノイド含有量の０．５〜４％のルテインを含む、請求項１４に記載の方法。
【請求項２２】
改変された表現型を有する前記花が、花弁中に全カロテノイド含有量の３０〜５０％のベータカロチンを含む、請求項１４に記載の方法。
【請求項２３】
改変された表現型を有する前記花が、ゼアキサンチンの上昇した量をさらに含み、前記ゼアキサンチンの上昇した量が開花期にあるか又はつぼみが閉じている時期にあるカスミソウの栽培品種ミリオンスターズ（Ｍ．Ｓ）中の前記ゼアキサンチン濃度と比較して前記ゼアキサンチン濃度の１０倍である、請求項１４に記載の方法。
【請求項２４】
改変された表現型を有する前記花が、ビオラキサンチンの上昇した量をさらに含み、前記ビオラキサンチンの上昇した量が開花期にあるか又はつぼみが閉じている時期にあるカスミソウの栽培品種ミリオンスターズ（Ｍ．Ｓ）中の前記ビオラキサンチン濃度と比較して前記ビオラキサンチン濃度の少なくとも１．５倍である、請求項１４に記載の方法。
【請求項２５】
改変された表現型を有する前記花の花弁表面積の少なくとも１５％が、緑色、黄色、オレンジ色、又はそれらの任意の組み合わせである、請求項１４に記載の方法。
【請求項２６】
改変された表現型を有する前記花の花弁表面積の少なくとも１０％が、白色、黄色、又はその両方である、請求項１４に記載の方法。
【請求項２７】
請求項１４〜２６のいずれか一項に記載の植物、植物部分、植物の子孫、又は子孫植物の一部。
【請求項２８】
水、１０〜５０ｍｇ／ｌのジベレリン酸、５〜２０ｍｇ／ｌのベンジルアデニン、及びカスミソウ植物又はその一部を含む組成物。
【請求項２９】
ベータカロチンの上昇した量を有する植物を選択するための、請求項２８に記載の組成物。
【発明の詳細な説明】
【技術分野】
【０００１】
本発明は、とりわけ、量が上昇したカロテノイド及び／又は色素を蓄積している改変されたカスミソウ植物並びにそれを取得する方法及び組成物を対象とする。
【背景技術】
【０００２】
シュッコンカスミソウ（Ｇ．ｐａｎｉｃｕｌａｔａ）は、ヨーロッパ、温帯アジア及び東地中海起源である。これは、庭の観賞用として１８９０年より前に北米に最初に導入され、多くの場合、庭、花壇で栽培され、準備された花束の中に存在する（Ｃａｖｅｒｓ，１９９５；Ｄａｒｗｅｎｔ及びＣｏｕｐｌａｎｄ，１９６６）。
【０００３】
開花植物のカスミソウ属は、ナデシコ科のメンバーである。カスミソウ属は、８８属及び約２,０００種からなる大きな科である。カスミソウは、一年生、二年生及び多年生の植物である既知の１２５種からなる（Ｓｈｉｌｌｏ，１９８５）。Ｌｉｎｎｅの「種プランタラム」で最初に説明されたシュッコンカスミソウは、時々、一年生作物として使用される草本の多年草植物である。シュッコンカスミソウの染色体数は、２ｎ＝３４である（Ｋｉｓｈｉ，１９９４）。属名は、ギリシア語のｇｙｐｓｏｓ（「石膏」）及びｐｈｉｌｉｏｓ（「愛する」）から来ている。
【０００４】
園芸業界では、カスミソウ植物は、景観、家の庭、容器での使用及び切花のための様々な形で見られる。シュッコンカスミソウは、切花に使用される主要なカスミソウの種であり（Ｄａｒｗｅｎｔ及びｃｏｕｐｌａｎｄ，１９６６；Ｓｈｉｌｌｏ，１９８５；Ｍｏｙａｌ−Ｂｅｎ Ｚｖｉら、２００８）、観賞用花束及びフラワーアレンジメントにボリューム感を出し、視覚的な興味を添えるためのフィラーフラワーとして伝統的に使用されている。今日までに、従来から育種されているカスミソウは、主に白１色が利用可能であり、非常に限られた品種には淡いピンクがある。
【０００５】
さらに、カスミソウ植物は、一年生植物及び多年生植物である。カスミソウの茎は、通常は直立し、分岐しているか若しくは広がっているか、又はいくつかの種では地面に沿って伏せている。葉の形状は様々である。花序は、通常、複雑に分岐している集散花序又は密錐花序である。それぞれの小さな花は、白色又はピンクの色合いで５枚の花弁を含有する白色縁緑色萼片のカップ状の萼を有する。果実は、弁の位置で開く丸い又は楕円形のカプセルである。果実は、多くの場合腎臓又はカタツムリの殻のような形をしている、いくつかの茶色又は黒の種子を含有している。
【発明の概要】
【発明の効果】
【０００６】
一実施形態において、本発明は、改変された表現型を有する花を含む改変されたカスミソウ植物であって、改変された表現型を有する花がベータカロチンの上昇した量を含み、ベータカロチンの上昇した量が対照のカスミソウ花におけるベータカロチンの濃度と比較してベータカロチンの濃度の少なくとも２倍である改変されたカスミソウ植物を提供する。いくつかの実施形態において、対照のカスミソウは、カスミソウの栽培品種ミリオンスターズである。いくつかの実施形態において、カスミソウ花は開花期にある。いくつかの実施形態において、カスミソウ花はつぼみが閉じている時期にある。
【０００７】
別の実施形態において、本発明は、表現型が改変された花を有する子孫植物を生成することができる個々の植物の存在について、親のカスミソウ植物の集団をスクリーニングするための方法であって、改変された表現型を有する花がベータカロチンの上昇した量を含み、ベータカロチンの上昇した量が対照のカスミソウ花におけるベータカロチンの濃度と比較してベータカロチンの濃度の少なくとも２倍であり、（ａ）個々の親植物から切花を準備すること；並びに（ｂ）水、１０〜５０ｍｇ／ｌのジベレリン酸、及び５〜２０ｍｇ／ｌのベンジルアデニンを含む組成物と親のカスミソウ植物由来の各切花を少なくとも２日間接触させること、を含み、白色とは対照的に黄色、クリーム色又は両方の色を有する花弁を発現する花が改変された表現型を有するものとして選択される方法をさらに提供する。いくつかの実施形態において、改変された表現型を有する花の花弁表面積の少なくとも１５％は緑色である。いくつかの実施形態において、改変された表現型を有する花の花弁表面積の１０％又は１５％は黄色である。いくつかの実施形態において、改変された表現型を有する花の花弁表面積の５％、１０％、１５％、又は２０％は白色である。
【０００８】
別の実施形態において、黄色は淡黄色である。別の実施形態において、黄色は、５８０〜５７０ｎｍの波長を有する色である。別の実施形態において、黄色は、淡い色合いの黄色である。別の実施形態において、黄色はレモンシフォンである。別の実施形態において、黄色は色素の黄色である。別の実施形態において、黄色は、カナリアイエローである。別の実施形態において、黄色は、落ち着いた黄色である。別の実施形態において、黄色は、当業者に公知の任意の黄色である。
【０００９】
別の実施形態において、本発明は、改変された表現型を有する花を含む植物又は植物の子孫であって、改変された表現型を有する花がベータカロチンの上昇した量を含み、ベータカロチンの上昇した量が対照のカスミソウ花におけるベータカロチン濃度と比較してベータカロチン濃度の少なくとも２倍である植物又は植物の子孫をさらに提供する。
【００１０】
別の実施形態において、本発明は、水、１０〜５０ｍｇ／ｌのジベレリン酸、及び５〜２０ｍｇ／ｌのベンジルアデニンを含む組成物をさらに提供する。別の実施形態において、この組成物は、本発明による選択のために使用される。別の実施形態において、この組成物は、ベータカロチンの上昇した量を有する植物を選択するためのものである。
【図面の簡単な説明】
【００１１】
【図１】花１グラム当たりの色素、カロテノイド又はその両方のマイクログラム量を示す棒グラフである。
【発明を実施するための形態】
【００１２】
一実施形態において、本発明は、貯蔵寿命が延長された特有のカスミソウ植物を提供する。一実施形態において、本発明は、花瓶寿命が延長された特有のカスミソウ植物を提供する。一実施形態において、本発明は、貯蔵寿命などの良好で特有の特性を有する栽培カスミソウを提供する。別の実施形態において、本発明は、予想外の選択手順の生成物である栽培カスミソウを提供する。
【００１３】
別の実施形態において、本発明は、対応する野生型又は他の公知のカスミソウ植物と比較して、予想外の大量の植物色素を蓄積する特有のカスミソウ植物を提供する。別の実施形態において、本発明は、対応する野生型又は他の公知のカスミソウ植物と比較して少なくとも２倍の量の植物色素を蓄積する特有のカスミソウ植物を提供する。別の実施形態において、用語「改変された」及び「特有の」は互換的に使用される。別の実施形態において、改変された植物は、対応する野生型若しくは同じ種の他の公知のカスミソウ植物と比較して改変された又は特有の表現型を有する。別の実施形態において、改変された植物は、特有の色又は色の組み合わせを特徴とする改変された花弁を有する。別の実施形態において、本明細書で使用する「植物」又は「植物部分」は、種子、葉、茎、花粉、根、根端、葯、胚珠、花弁、花、無根挿し木、挿し木及び胚を含む。別の実施形態において、「植物」は挿し木である。別の実施形態において、「植物」は、販売のために収穫された植物である。別の実施形態において、「植物」又は「植物部分」は、根こぎにされていない挿し木である。
【００１４】
別の実施形態において、「植物」は、全ての植物の器官を含む植物全体である。別の実施形態において、「植物」は、組織培養、植物プロトプラスト、植物カルス、植物塊、及び植物中で無傷である植物細胞を含む、そこからシュッコンカスミソウ植物を作製され得る植物細胞又は植物部分を指す。別の実施形態において、「植物」又は「カスミソウ」は、シュッコンカスミソウである。
【００１５】
別の実施形態において、語句「改変された植物」及び「本発明の植物」は互換的に使用される。別の実施形態において、「カスミソウ」及び／又は「改変された植物」及び／又は「本発明の植物」は、カスミソウある。別の実施形態において、「カスミソウ」及び／又は「改変された植物」及び／又は「本発明の植物」は、量が上昇した植物色素を特徴とするカスミソウである。別の実施形態において、「カスミソウ」及び／又は「改変された植物」及び／又は「本発明の植物」は、量が上昇した植物色素の組み合わせを特徴とするカスミソウである。別の実施形態において、「カスミソウ」及び／又は「改変された植物」及び／又は「本発明の植物」は、限定されないが緑色花弁、黄色花弁、及び／又はオレンジ色花弁などの予期しない花の表現型を特徴とするカスミソウである。別の実施形態において、「カスミソウ」及び／又は「改変された植物」及び／又は「本発明の植物」は、予期しない、長期の貯蔵寿命を特徴とするカスミソウである。別の実施形態において、「カスミソウ」及び／又は「改変された植物」及び／又は「本発明の植物」は、花であるカスミソウである。別の実施形態において、「カスミソウ」及び／又は「改変された植物」及び／又は「本発明の植物」は、開花期又はつぼみが閉じている時期のカスミソウである。別の実施形態において、「カスミソウ」及び／又は「改変された植物」及び／又は「本発明の植物」は、開花期又はつぼみが閉じている時期のカスミソウである。別の実施形態において、「カスミソウ」及び／又は「改変された植物」及び／又は「本発明の植物」は、「カスミソウ」及び／又は「改変された植物」及び／又は「本発明の植物」に由来する切花が、本明細書に記載のスクリーニング用組成物と接触される場合に、クリーム色及び／又は黄色を含む花弁を発現するカスミソウである。
【００１６】
別の実施形態において、語句：「本発明の植物」、「改変された植物」及び「表現型が改変された花を有する植物」は、互換的に使用される。別の実施形態において、「改変された植物」又は「表現型が改変された花を有する植物」は、対応する野生型又は他の公知のカスミソウ植物（対照）と比較して改変された又は特有の表現型を有する。別の実施形態において、「改変された植物」又は「表現型が改変された花を有する植物」は、同じ種の対応するカスミソウ植物（対照）と比較して改変された又は特有の表現型を有する。別の実施形態において、本発明の植物及び対照植物は、カスミソウ植物である。別の実施形態において、本発明の植物及び対照植物は、同じ種又は異なる種のカスミソウ植物である。別の実施形態において、本発明の植物及び対照植物は、同じ発達段階で、本発明に従って比較される。別の実施形態において、本発明の植物及び対照植物は、同じ発達段階で、本発明に従って比較される。別の実施形態において、本発明の植物及び対照植物は、カロテノイド含有量、色素含有量、クロロフィル含有量、又はこれらの任意の組み合わせに関して同じ発達段階でアッセイされる。別の実施形態において、発達段階は、当業者に公知の任意の花の発達段階である。別の実施形態において、発達段階は、開花期又はつぼみが閉じている時期である。
【００１７】
別の実施形態において、クロロフィル及び／又はカロテノイド及び／又は色素の量は花弁中で定量される。別の実施形態において、クロロフィル及び／又はカロテノイド及び／又は色素の量は花において定量される。別の実施形態において、クロロフィル、カロテノイド及び／又は色素の量は白色花から定量される。別の実施形態において、クロロフィル、カロテノイド及び／又は色素の量は白色花弁から定量される。別の実施形態において、クロロフィル、カロテノイド及び／又は色素の量は単一の植物に由来する複数の花から定量される。別の実施形態において、クロロフィル、カロテノイド及び／又は色素の量は複数の植物由来の複数の花から定量される。別の実施形態において、クロロフィル、カロテノイド及び／又は色素の量は本明細書に記載の同じ表現型を有する複数の植物由来の複数の花から定量される。
【００１８】
別の実施形態において、「花」は、当業者に公知の任意の花又は花の種類である。別の実施形態において、「花」は多重花である。別の実施形態において、「花」は一重の花である。別の実施形態において、「花」は八重の花である。別の実施形態において、「花」は半八重の花である。
【００１９】
別の実施形態において、本発明の植物は、対照植物と比較して、少なくとも１.２、１.３、１.４、１.５、１.６、１.７、１.８、１.９、２.０、２.１、２.２、２.３、２.４、２.５、２.６、２.７、２.８、２.９、３.０、３.２、３.４、３.６、３.８、４.０、４.２、４.４、４.６、４.８、５.０、５.５、６.０、６.５、７.０、７.５、８.０、８.５、９.０、９.５、又は１０.０倍の濃度及び／若しくは量の、特定の色素及び／若しくはクロロフィル、カロテノイド並びに／又は色素の組み合わせ並びに／又は色素とクロロフィルの組み合わせを含む。別の実施形態において、本発明の植物は、対照植物と比較して、少なくとも２倍の濃度及び／若しくは量の、特定の色素及び／若しくはクロロフィル及び／若しくはカロテノイド並びに／又は色素の組み合わせ並びに／又は色素とカロテノイドの組み合わせを含む。別の実施形態において、本発明の植物は、対照植物と比較して、１.５倍〜１５倍の濃度及び／若しくは量の、特定の色素及び／若しくはクロロフィル及び／若しくはカロテノイド並びに／又は色素の組み合わせ並びに／又は色素、クロロフィル及び／若しくはカロテノイドの組み合わせを含む。別の実施形態において、本発明の植物は、対照植物と比較して、１.５倍〜５倍の濃度及び／若しくは量の、特定の色素及び／若しくはクロロフィル及び／若しくはカロテノイド並びに／又は色素の組み合わせ並びに／又は色素とクロロフィル及び／若しくはカロテノイドの組み合わせを含む。別の実施形態において、本発明の植物は、対照植物と比較して、２倍〜１０倍の濃度及び／若しくは量の、特定の色素及び／若しくはクロロフィル及び／若しくはカロテノイド並びに／又は色素の組み合わせ並びに／又は色素とクロロフィル及び／又はカロテノイドの組み合わせを含む。別の実施形態において、本発明の植物は、対照植物と比較して、２倍〜５倍の濃度及び／若しくは量の、特定の色素及び／若しくはクロロフィル及び／若しくはカロテノイド並びに／又は色素の組み合わせ並びに／又は色素とクロロフィル及び／若しくはカロテノイドの組み合わせを含む。別の実施形態において、本発明の植物は、限定されないがカスミソウミリオンスターなどの対照植物と比較して、３倍〜８倍の濃度及び／若しくは量の、特定の色素及び／若しくはクロロフィル及び／若しくはカロテノイド並びに／又は色素の組み合わせ並びに／又は色素とクロロフィル及び／若しくはカロテノイドの組み合わせを含む。
【００２０】
別の実施形態において、対照植物は、同じ種の野生型植物である。別の実施形態において、対照植物は、本発明の日付以前に公知の任意のカスミソウ植物である。別の実施形態において、対照植物は、カスミソウミリオンスターである。別の実施形態において、対照植物は、同じ種の任意の栽培又は選択された植物である。別の実施形態において、対照植物は、任意の公知のカスミソウである。別の実施形態において、対照植物は、開花期又はつぼみが閉じている時期の任意の公知のカスミソウである。別の実施形態において、対照植物は、任意の公知のカスミソウ花である。別の実施形態において、対照植物は、開花期又はつぼみが閉じている時期の任意の公知のカスミソウ花である。別の実施形態において、「本発明の植物」は、カスミソウ花である。別の実施形態において、本発明の植物は、開花期又はつぼみが閉じている時期のカスミソウ花である。別の実施形態において、「本発明の植物」は、改変された表現型を有する花である。別の実施形態において、「本発明の植物」は、改変された表現型を有する植物である。別の実施形態において、「改変された表現型」は、表現型が改変されたカスミソウである。別の実施形態において、「改変された表現型」は、表現型が改変されたカスミソウ花である。
【００２１】
別の実施形態において、色素は光合成色素である。別の実施形態において、色素はクロロフィルＡである。別の実施形態において、色素はクロロフィルＢである。別の実施形態において、色素はカロテノイドである。別の実施形態において、色素はキサントフィルである。別の実施形態において、色素はルテインである。別の実施形態において、色素はベータカロチンである。別の実施形態において、色素はアンテラキサンチンである。別の実施形態において、色素はゼアキサンチンである。別の実施形態において、色素はビオラキサンチンである。別の実施形態において、本発明の改変されたカスミソウ植物は、１.２倍〜１８倍の濃度及び／又は量のクロロフィルＡ、クロロフィルＢ、キサントフィル、カロテノイド、色素、ルテイン、ベータカロチン、アンテラキサンチン、ゼアキサンチン、ビオラキサンチン、若しくはそれらの任意の組合せを含む。別の実施形態において、本発明の改変されたカスミソウ植物は、１.２倍〜１５倍の濃度及び／又は量のクロロフィルＡ、クロロフィルＢ、キサントフィル、カロテノイド、色素、ルテイン、ベータカロチン、アンテラキサンチン、ゼアキサンチン、ビオラキサンチン、若しくはそれらの任意の組合せを含む。別の実施形態において、本発明の改変されたカスミソウ植物は、１.２倍〜１０倍の濃度及び／又は量のクロロフィルＡ、クロロフィルＢ、キサントフィル、カロテノイド、色素、ルテイン、ベータカロチン、アンテラキサンチン、ゼアキサンチン、ビオラキサンチン、若しくはそれらの任意の組合せを含む。
【００２２】
別の実施形態において、語句「本発明の改変されたカスミソウ植物」は、「改変された花弁」又は「改変されたカロテノイド及び／若しくは色素含有量」又は「改変された花」又は「改変されたカロテノイド及び／若しくは色素含有量を有する花」又は「改変された表現型を有する花を含むカスミソウ植物」と同義である。
【００２３】
別の実施形態において、本発明の改変されたカスミソウ植物は、ベータカロチンの上昇した量を含み、ベータカロチンの上昇した量は、対照のカスミソウ花におけるベータカロチン濃度の少なくとも１.２、１.３、１.４、１.５、１.６、１.７、１.８、１.９、２.０、２.１、２.２、２.３、２.４、２.５、２.６、２.７、２.８、２.９、３.０、３.２、３.４、３.６、３.８、４.０、４.２、４.４、４.６、４.８、５.０、５.５、６.０、６.５、７.０、７.５、８.０、８.５、９.０、９.５、又は１０.０倍である。別の実施形態において、本発明の改変されたカスミソウ植物は、クロロフィルＡの上昇した量を含み、クロロフィルＡの上昇した量は開花期又はつぼみが閉じている時期のカスミソウの栽培品種ミリオンスターズ（Ｍ．Ｓ）の花におけるクロロフィルＡ濃度の少なくとも２倍である。別の実施形態において、改変された表現型を有する花は、クロロフィルＢの上昇した量をさらに含み、クロロフィルＢの上昇量は開花期又はつぼみが閉じている時期のカスミソウの栽培品種ミリオンスターズ（Ｍ．Ｓ）の花におけるクロロフィルＢ濃度の少なくとも２倍である。別の実施形態において、改変された表現型を有する花は、花弁中に総カロテノイド含有量の０.５〜４％ｗ／ｗ又はｖ／ｖのルテインを含む。別の実施形態において、改変された表現型を有する花は、花弁中に総カロテノイド含有量の３０〜５０％ｗ／ｗ又はｖ／ｖのベータカロチンを含む。別の実施形態において、改変された表現型を有する花は、ゼアキサンチンの上昇した量をさらに含み、ゼアキサンチンの上昇した量は開花期又はつぼみが閉じている時期のカスミソウの栽培品種ミリオンスターズ（Ｍ．Ｓ）の花におけるゼアキサンチン濃度の少なくとも１０倍である。別の実施形態において、改変された表現型を有する花は、ビオラキサンチンの上昇した量を含み、ビオラキサンチンの上昇した量は開花期又はつぼみが閉じている時期のカスミソウの栽培品種ミリオンスターズ（Ｍ．Ｓ）の花におけるビオラキサンチン濃度の少なくとも１.５倍である。
【００２４】
別の実施形態において、改変された表現型を有する花の花弁表面積の少なくとも１０％、１１％、１２％、１３％、１４％、１５％、１６％、１８％、２０％、２５％、３０％、３５％、４０％、４５％、５０％、５５％、又は６０％は、緑色、黄色、オレンジ色又はそれらの任意の組み合わせである。いくつかの実施形態において、改変された表現型を有する花の花弁表面積の少なくとも１５％は緑色である。いくつかの実施形態において、改変された表現型を有する花の花弁表面積の少なくとも１７％は緑色である。いくつかの実施形態において、改変された表現型を有する花の花弁表面積の少なくとも２０％は緑色である。いくつかの実施形態において、改変された表現型を有する花の花弁表面積の少なくとも２２％は緑色である。いくつかの実施形態において、改変された表現型を有する花の花弁表面積の少なくとも２５％は緑色である。いくつかの実施形態において、改変された表現型を有する花の花弁表面積の少なくとも３０％は緑色である。いくつかの実施形態において、改変された表現型を有する花の花弁表面積の少なくとも４０％は緑色である。いくつかの実施形態において、改変された表現型を有する花の花弁表面積の少なくとも４０％は緑色である。別の実施形態において、改変された表現型を有する花の花弁表面積の少なくとも５％、８％、１０％、１５％、２０％、２５％、３０％、３５％、４０％、４５％、又は５０％は、白色、黄色、又はその両方である。別の実施形態において、対照のカスミソウ花は、カスミソウの栽培品種ミリオンスターズの花である。別の実施形態において、本明細書に記載の花は、開花期にあるか、又はつぼみが閉じている時期にある。
【００２５】
別の実施形態において、少なくとも１.４倍は、少なくとも１.５、１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、又は４.２、１.５、１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、４.２、４.３、４.４、４.５、５、５.５、６、６.５、７、７.５、８、８.５、９、９.５、１０、１０.５、１１、１２、１３、１４、１５、１６、１７、１８、１９又は２０である。別の実施形態において、少なくとも１.５倍は、少なくとも１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、又は４.２、１.５、１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、４.２、４.３、４.４、４.５、５、５.５、６、６.５、７、７.５、８、８.５、９、９.５、１０、１０.５、１１、１２、１３、１４、１５、１６、１７、１８、１９又は２０である。別の実施形態において、少なくとも２倍は、少なくとも２.１、２.２、２.３、２.４、２.５、２.６、２.７、２.８、２.９、３.０、３.１、３.２、３.３、３.４、３.５、３.６、３.７、３.８、３.９、４.０、４.１、４.２、１.５、１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、４.２、４.３、４.４、４.５、５、５.５、６、６.５、７、７.５、８、８.５、９、９.５、１０、１０.５、１１、１２、１３、１４、１５、１６、１７、１８、１９又は２０である。別の実施形態において、少なくとも２.５倍は、少なくとも２.６、２.７、２.８、２.９、３.０、３.１、３.２、３.３、３.４、３.５、３.６、３.７、３.８、３.９、４.０、４.１、４.２、１.５、１.６、１.７、１.８、１.９、２.０、２.１、２.２、２.３、２.４、２.５、２.６、２.７、２.８、２.９、３.０、３.１、３.２、３.３、３.４、３.５、３.６、３.７、３.８、３.９、４.０、４.１、４.２、４.３、４.４、４.５、５、５.５、６、６.５、７、７.５、８、８.５、９、９.５、１０、１０.５、１１、１２、１３、１４、１５、１６、１７、１８、１９又は２０である。別の実施形態において、少なくとも１０倍は、少なくとも１０.１、１０.２、１０.３、１０.４、１０.５、１１、１１.１、１１.２、１１.３、１１.４、１１.５、１２.０、１２.５、１３、１３.５、１４.０、１４.５、１５、１６、１７、１８、１９、２０、２１、２２、２３、２４、又は２５である。別の実施形態において、少なくとも５％は、少なくとも５.１％、５.２％、５.３％、５.４％、５.５％、６％、７％、８％、９％、９.５％又は１０％である。別の実施形態において、少なくとも１０％は、１０.１％、１０.２％、１０.３％、１０.４％、１０.５％、１１％、��２％、１３％、１４％、１５％、１６％、１７％、１８％、１９％、２０％、２２％、２４％、２５％、２６％、２８％、３０％、３２％、３４％、３５、３７％、４０％、４５、５０％、５５％、又は６０％である。別の実施形態において、本発明の任意の範囲のパーセンテージ（％）は、ｗ／ｗ、ｗ／ｖ、ｖ／ｗ又はｖ／ｖ％を指す。
【００２６】
別の実施形態において、本発明の改変されたカスミソウ植物は、クロロフィルＡの上昇した量を含み、クロロフィルＡの上昇した量は公知のカスミソウ（野生型又は本明細書に記載のミリオンスターなどの他の公知の植物）におけるクロロフィルＡの濃度と比較してクロロフィルＡ濃度の少なくとも１.５倍である。別の実施形態において、本発明の改変されたカスミソウ植物は、クロロフィルＡの上昇した量を含み、クロロフィルＡの上昇した量は公知のカスミソウ（野生型又は本明細書に記載のミリオンスターなどの他の公知の植物）におけるクロロフィルＡの濃度と比較してクロロフィルＡ濃度の少なくとも２倍である。別の実施形態において、本発明の改変されたカスミソウ植物は、クロロフィルＡの上昇した量を有する花を含み、クロロフィルＡの上昇した量は公知のカスミソウ花（野生型又は他の公知の植物）におけるクロロフィルＡ濃度と比較してクロロフィルＡ濃度の少なくとも２倍である。
【００２７】
別の実施形態において、（改変された表現型を有する）本発明の植物は、対照植物と比較して、１.５、１.６、１.７、１.８、１.９、２.０、２.１、２.２、２.３、２.４、２.５、２.６、２.７、２.８、２.９、３.０、３.１、３.２、３.３、３.４、３.６、３.８、４.０、４.２、４.４、４.６、４.８、５.０、５.５、６.０、６.５、７.０、７.５、８.０、８.５、９.０、９.５、又は１０.０倍の濃度及び／又は量のクロロフィルＡを含む。別の実施形態において、本発明の植物は、対照植物と比較して、１.５倍〜１５倍の濃度及び／又は量のクロロフィルＡを含む。別の実施形態において、本発明の植物は、対照植物と比較して、２倍〜１０倍の濃度及び／又は量のクロロフィルＡを含む。別の実施形態において、本発明の植物は、対照植物と比較して、１.５倍〜８倍の濃度及び／又は量のクロロフィルＡを含む。別の実施形態において、本発明の植物は、対照植物と比較して、少なくとも２倍の濃度及び／又は量のクロロフィルＡを含む。別の実施形態において、本発明の植物は、対照植物と比較して、少なくとも４倍の濃度及び／又は量のクロロフィルＡを含む。別の実施形態において、本発明の植物は、対照植物と比較して、少なくとも５倍の濃度及び／又は量のクロロフィルＡを含む。別の実施形態において、対照植物と比較して、本発明の植物におけるクロロフィルＡの濃度及び／又量の上限は１５倍である。別の実施形態において、対照植物と比較して、本発明の植物におけるクロロフィルＡの濃度及び／又は量の上限は１２倍である。別の実施形態において、対照植物と比較して、本発明の植物におけるクロロフィルＡの濃度及び／又は量の上限は１０倍である。
【００２８】
別の実施形態において、本発明の植物は、対照植物と比較して、１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．８、４．０、４．２、４．４、４．６、４．８、５．０、５．５、６．０、６．５、７．０、７．５、８．０、８．５、９．０、９．５、又は１０.０倍の濃度及び／又は量のクロロフィルＢを含む。別の実施形態において、本発明の植物は、対照植物と比較して、２.６倍の濃度及び／又は量のクロロフィルＢを含む。別の実施形態において、本発明の植物は、対照植物と比較して、１.２倍〜１２倍の濃度及び／又は量のクロロフィルＢを含む。別の実施形態において、本発明の植物は、対照植物と比較して、少なくとも２.５倍の濃度及び／又は量のクロロフィルＢを含む。別の実施形態において、本発明の植物は、対照植物と比較して、少なくとも２倍の濃度及び／又は量のクロロフィルＢを含む。別の実施形態において、本発明の植物は、対照植物と比較して、少なくとも２.０倍の濃度及び／又は量のクロロフィルＢを含む。別の実施形態において、対照植物と比較して、本発明の植物におけるクロロフィルＢの濃度及び／又は量の上限は１２倍である。別の実施形態において、対照植物と比較して、本発明の植物におけるクロロフィルＢの濃度及び／又は量の上限は１０倍である。別の実施形態において、対照植物と比較して、本発明の植物におけるクロロフィルＢの濃度及び／又は量の上限は８倍である。
【００２９】
別の実施形態において、本発明の植物は、対照植物と比較して、２倍〜１２倍の濃度及び／又は量のルテインを含む。別の実施形態において、本発明の植物は、対照植物と比較して、１.５、１.８、２.０、２.１、２.２、２.３、２.４、２.５、２.６、２.７、２.８、２.９、３.０、３.１、３.２、３.３、３.４、３.６、３.８、４.０、４.２、４.４、４.６、４.８、５.０、５.５、６.０、６.５、７.０、７.５、８.０、８.５、９.０、９.５、又は１０.０倍の濃度及び／又は量のルテインを含む。別の実施形態において、本発明の植物は、対照植物と比較して３倍〜８倍の濃度及び／又は量のルテインを含む。別の実施形態において、本発明の植物は、対照植物と比較して、１.５倍の濃度及び／又は量のルテインを含む。別の実施形態において、本発明の植物は、対照植物と比較して、少なくとも２倍の濃度及び／又は量のルテインを含む。別の実施形態において、本発明の植物は、対照植物と比較して、２.５倍の濃度及び／又は量のルテインを含む。別の実施形態において、対照植物と比較して、本発明の植物におけるルテインの濃度及び／又は量の上限は１２倍である。別の実施形態において、対照植物と比較して、本発明の植物におけるルテインの濃度及び／又は量の上限は１０倍である。別の実施形態において、対照植物と比較して、本発明の植物におけるルテインの濃度及び／又は量の上限は８倍である。別の実施形態において、対照植物と比較して、本発明の植物におけるルテインの濃度及び／又は量の上限は６倍である。
【００３０】
別の実施形態において、本発明の植物は、対照植物と比較して、２．５、２．６、２．７、２．８、２．９、３．０、３．１、３．２、３．３、３．４、３．６、３．８、４．０、４．２、４．４、４．６、４．８、５．０、５．５、６．０、６．５、７．０、７．５、８．０、８．５、９．０、９．５、又は１０．０倍の濃度及び／又は量のベータカロチンを含む。別の実施形態において、本発明の植物は、対照植物と比較して、１.２倍〜１８倍の濃度及び／又は量のベータカロチンを含む。別の実施形態において、本発明の植物は、対照植物と比較して、１.７倍の濃度及び／又は量のベータカロチンを含む。別の実施形態において、本発明の植物は、対照植物と比較して、少なくとも２倍の濃度及び／又は量のベータカロチンを含む。別の実施形態において、本発明の植物は、対照植物と比較して、２.５倍の濃度及び／又は量のベータカロチンを含む。別の実施形態において、対照植物と比較して、本発明の植物におけるベータカロチンの濃度及び／又は量の上限は１２倍である。別の実施形態において、対照植物と比較して、本発明の植物におけるベータカロチンの濃度及び／又は量の上限は１０倍である。別の実施形態において、対照植物と比較して、本発明の植物におけるベータカロチンの濃度及び／又は量の上限は８倍である。
【００３１】
別の実施形態において、カロテノイドはゼアキサンチンである。別の実施形態において、本発明の植物は、対照植物と比較して１.２倍〜２５倍の濃度及び／又は量のゼアキサンチンを含む。別の実施形態において、カロテノイドはゼアキサンチンである。別の実施形態において、本発明の植物は、対照植物と比較して、１０、１１、１２、１３、１４、１５、１６、１７、１８、１９、２０、２１、２２、２３、２４、２５、２６、２７、２８、２９、又は３０倍の濃度及び／又は量のゼアキサンチンを含む。別の実施形態において、本発明の植物は、対照植物と比較して、少なくとも１０倍の濃度及び／又は量のゼアキサンチンを含む。別の実施形態において、本発明の植物は、対照植物と比較して、少なくとも２倍の濃度及び／又は量のゼアキサンチンを含む。別の実施形態において、本発明の植物は、対照植物と比較して、少なくとも１２倍の濃度及び／又は量のゼアキサンチンを含む。別の実施形態において、対照植物と比較して、本発明の植物におけるゼアキサンチンの濃度及び／又は量の上限は４５倍である。別の実施形態において、対照植物と比較して、本発明の植物におけるゼアキサンチンの濃度及び／又は量の上限は４０倍である。別の実施形態において、対照植物と比較して、本発明の植物におけるゼアキサンチンの濃度及び／又は量の上限は２５倍である。
【００３２】
別の実施形態において、カロテノイドはビオラキサンチンである。別の実施形態において、本発明の植物は、対照植物と比較して１.２倍〜５０倍の濃度及び／又は量のビオラキサンチンを含む。別の実施形態において、カロテノイドはビオラキサンチンである。別の実施形態において、本発明の植物は、対照植物と比較して、２０倍〜５０倍の濃度及び／又は量のビオラキサンチンを含む。別の実施形態において、カロテノイドはビオラキサンチンである。別の実施形態において、本発明の植物は、対照植物と比較して、１５倍〜４５倍の濃度及び／又は量のビオラキサンチンを含む。別の実施形態において、本発明の植物は、対照植物と比較して、１.１、１.２、１.３、１.４、１.５、１.６、１.７、１.８、１.９、２.０、２.１、２.２、２.３、２.４、２.５、２.６、２.７、２.８、２.９、３.０、３.１、３.２、３.３、３.４、３.５、４、５、６、８、１０、１２、１５、２０、２５、３０、３５、４０、４５、５０、６０又は７０倍の濃度及び／又は量のビオラキサンチンを含む。別の実施形態において、本発明の植物は、対照植物と比較して、少なくとも１.５倍の濃度及び／又は量のビオラキサンチンを含む。別の実施形態において、本発明の植物は、対照植物と比較して、少なくとも１.８倍の濃度及び／又は量のビオラキサンチンを含む。別の実施形態において、本発明の植物は、対照植物と比較して、少なくとも２倍の濃度及び／又は量のビオラキサンチンを含む。別の実施形態において、対照植物と比較して、本発明の植物におけるビオラキサンチンの濃度及び／又は量の上限は１２倍である。別の実施形態において、対照植物と比較して、本発明の植物におけるビオラキサンチンの濃度及び／又は量の上限は１０倍である。別の実施形態において、対照植物と比較して、本発明の植物におけるビオラキサンチンの濃度及び／又は量の上限は８倍である。
【００３３】
別の実施形態において、本発明の植物又はその花は、花弁中に全色素及び／又はカロテノイド含有量の０.２〜２０％のルテインを含む。別の実施形態において、本発明の植物又はその花は、花弁中に全色素及び／又はカロテノイド含有量の０.２〜１０％のルテインを含む。別の実施形態において、本発明の植物又はその花は、花弁中に全色素及び／又はカロテノイド含有量の０.５〜５％ｗ／ｗ又はｖ／ｖのルテインを含む。別の実施形態において、本発明の植物又はその花は、花弁中に全色素及び／又はカロテノイド含有量の０.５〜４％のルテインを含む。別の実施形態において、本発明の植物又はその花は、花弁中に全色素及び／又はカロテノイド含有量の１〜２％のルテインを含む。別の実施形態において、本発明の植物又はその花は、花弁中に全色素及び／又はカロテノイド含有量の１．１〜１．８％のルテインを含む。
【００３４】
別の実施形態において、本発明の植物又はその花は、花弁中に全色素含有量の２０〜５０％ｗ／ｗ又はｖ／ｖのベータカロチンを含む。別の実施形態において、本発明の植物又はその花は、花弁中に全色素含有量の２５〜５０％ｗ／ｗ又はｖ／ｖのベータカロチンを含む。別の実施形態において、本発明の植物又はその花は、花弁中に全色素含有量の３０〜４５％ｗ／ｗ又はｖ／ｖのベータカロチンを含む。別の実施形態において、本発明の植物又はその花は、花弁中に全色素含有量の３５〜４５％ｗ／ｗ又はｖ／ｖのベータカロチンを含む。別の実施形態において、本発明の植物又はその花は、花弁中に全カロテノイド含有量の３９〜４５％ｗ／ｗ又はｖ／ｖのベータカロチンを含む。
【００３５】
別の実施形態において、本発明の植物又はその花は、花弁中に全色素含有量の１０〜４０％ｗ／ｗ又はｖ／ｖのクロロフィルＡを含む。別の実施形態において、本発明の植物又はその花は、花弁中に全色素含有量の１５〜４０％ｗ／ｗ又はｖ／ｖのクロロフィルＡを含む。別の実施形態において、本発明の植物又はその花は、花弁中に全色素含有量の２０〜３５％ｗ／ｗ又はｖ／ｖのクロロフィルＡを含む。別の実施形態において、本発明の植物又はその花は、花弁中に全色素含有量の２２〜３０％ｗ／ｗ又はｖ／ｖのクロロフィルＡを含む。別の実施形態において、本発明の植物又はその花は、花弁中に全色素含有量の２２〜２８％ｗ／ｗ又はｖ／ｖのクロロフィルＡを含む。
【００３６】
別の実施形態において、本発明の植物又はその花は、花弁中に全色素及び／又はカロテノイド含有量の５〜２５％ｗ／ｗ又はｖ／ｖのクロロフィルＢを含む。別の実施形態において、本発明の植物又はその花は、花弁中に全色素及び／又はカロテノイド含有量の５〜２０％ｗ／ｗ又はｖ／ｖのクロロフィルＢを含む。別の実施形態において、本発明の植物又はその花は、花弁中に全色素及び／又はカロテノイド含有量の８〜１５％ｗ／ｗ又はｖ／ｖのクロロフィルＢを含む。別の実施形態において、本発明の植物又はその花は、花弁中に全色素及び／又はカロテノイド含有量の９〜１４％ｗ／ｗ又はｖ／ｖのクロロフィルＢを含む。
【００３７】
別の実施形態において、本発明の植物又はその花は、花弁中に全色素及び／又はカロテノイド含有量の５〜４０％ｗ／ｗ又はｖ／ｖのα−トコフェロールを含む。別の実施形態において、本発明の植物又はその花は、花弁中に全色素及び／又はカロテノイド含有量の５〜３０％ｗ／ｗ又はｖ／ｖのα−トコフェロールを含む。別の実施形態において、本発明の植物又はその花は、花弁中に全色素及び／又はカロテノイド含有量の８〜３０％ｗ／ｗ又はｖ／ｖのα−トコフェロールを含む。別の実施形態において、本発明の植物又はその花は、花弁中に全色素及び／又はカロテノイド含有量の９〜２７％ｗ／ｗ又はｖ／ｖのα−トコフェロールを含む。
【００３８】
別の実施形態において、改変された表現型を有する花（本発明の植物）の花弁表面積又は花の表面積の少なくとも５％は、緑色、黄色、及び／又はオレンジ色である。別の実施形態において、改変された表現型を有する花（本発明の植物）の花弁表面積又は花の表面積の少なくとも７.５％は、緑色、黄色、及び／又はオレンジ色である。別の実施形態において、改変された表現型を有する花（本発明の植物）の花弁表面積又は花の表面積の少なくとも１０％、１５％、２０％、２５％、３０％、３５％、４０％、４５％、又は５０％は、緑色、黄色、及び／又はオレンジ色である。別の実施形態において、改変された表現型を有する花（本発明の植物）の花弁表面積又は花の表面積の少なくとも１５％、２０％、２５％、３０％、３５％、４０％、４５％、又は５０％は白色ではない。別の実施形態において、改変された表現型を有する花（本発明の植物）の花弁表面積又は花の表面積の少なくとも１２％は、緑色、黄色、及び／又はオレンジ色である。別の実施形態において、改変された表現型を有する花（本発明の植物）の花弁表面積又は花の表面積の少なくとも１３％は、緑色、黄色、及び／又はオレンジ色である。別の実施形態において、改変された表現型を有する花（本発明の植物）の花弁表面積又は花の表面積の少なくとも１５％は、緑色、黄色、及び／又はオレンジ色である。別の実施形態において、改変された表現型を有する花（本発明の植物）の花弁表面積又は花の表面積の少なくとも２０％は、緑色、黄色、及び／又はオレンジ色である。別の実施形態において、改変された表現型を有する花（本発明の植物）の花弁表面積又は花の表面積の少なくとも２５％は、緑色、黄色、及び／又はオレンジ色である。別の実施形態において、改変された表現型を有する花（本発明の植物）の花弁表面積又は花の表面積の少なくとも３０％は、緑色、黄色、及び／又はオレンジ色である。別の実施形態において、改変された表現型を有する花（本発明の植物）の花弁表面積又は花の表面積の少なくとも４０％は、緑色、黄色、及び／又はオレンジ色である。別の実施形態において、改変された表現型を有する花（本発明の植物）の花弁表面積又は花の表面積の１０％〜９９％は、緑色、黄色、及び／又はオレンジ色である。別の実施形態において、改変された表現型を有する花（本発明の植物）の花弁表面積又は花の表面積の２０％〜７０％は、緑色、黄色、及び／又はオレンジ色である。別の実施形態において、改変された表現型を有する花（本発明の植物）の花弁表面積又は花の表面積の４０％〜８０％は、緑色、黄色、及び／又はオレンジ色である。別の実施形態において、「１つの花弁」は、単一の花の中の複数の花弁又は全ての花弁を含む。別の実施形態において、「花の表面積」は、単一の花の中の全ての花弁の全表面積である。別の実施形態において、「花の表面積」は、本発明の単一植物の中の全ての花の中の全ての花弁の全表面積である。
【００３９】
別の実施形態において、改変された表現型を有する花（本発明の植物）の花弁表面積又は花の表面積の少なくとも５％は白色である。別の実施形態において、改変された表現型を有する花（本発明の植物）の花弁表面積又は花の表面積の少なくとも７.５％は白色である。別の実施形態において、改変された表現型を有する花（本発明の植物）の花弁表面積又は花の表面積の少なくとも１０％は白色である。別の実施形態において、改変された表現型を有する花（本発明の植物）の花弁表面積又は花の表面積の少なくとも１２％は白色である。別の実施形態において、改変された表現型を有する花（本発明の植物）の花弁表面積又は花の表面積の少なくとも１３％は白色である。別の実施形態において、改変された表現型を有する花（本発明の植物）の花弁表面積又は花の表面積の少なくとも１５％は白色である。別の実施形態において、改変された表現型を有する花（本発明の植物）の花弁表面積又は花の表面積の少なくとも２０％は白色である。別の実施形態において、改変された表現型を有する花（本発明の植物）の花弁表面積又は花の表面積の少なくとも２５％は白色である。別の実施形態において、改変された表現型を有する花（本発明の植物）の花弁表面積又は花の表面積の少なくとも３０％は白色である。別の実施形態において、改変された表現型を有する花（本発明の植物）の花弁表面積又は花の表面積の少なくとも４０％は白色である。別の実施形態において、改変された表現型を有する花（本発明の植物）の花弁表面積又は花の表面積の１０％〜９９％は白色である。別の実施形態において、改変された表現型を有する花（本発明の植物）の花弁表面積又は花の表面積の１０％〜７０％は白色である。別の実施形態において、改変された表現型を有する花（本発明の植物）の花弁表面積又は花の表面積の２０％〜５０％は白色である。別の実施形態において、改変された表現型を有する花（本発明の植物）の花弁表面積又は花の表面積の１０％〜３０％は白色である。別の実施形態において、改変された表現型を有する花（本発明の植物）の花弁表面積又は花の表面積の少なくとも５％は黄色である。
【００４０】
別の実施形態において、本発明は、改変された花の表現型を有する後代及び／又は子孫を生成する能力についてカスミソウ植物をスクリーニング及び／又は選択及び／又は特定するための方法であって、改変された表現型を有する花がクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組合せの上昇した濃度及び／又は量を含み、クロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組合せの上昇した量が対照植物又は対照カスミソウ（本明細書で定義したものなど）におけるクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組合せの濃度及び／又は量の少なくとも１.２倍であり、（ａ）個々の植物から切花を準備すること；並びに（ｂ）水溶液及び１０〜１００ｍｇ／ｌのジベレリン酸（ＧＡ）を含む組成物とカスミソウ植物からの各切花を少なくとも１日又は少なくとも２日の間接触させること、を含み、白色とは対照的にクリーム色及び／若しくは黄色を有する花弁を発現する花が改変された表現型を有するものとして、かつ／又は上昇した濃度及び／若しくは量のクロロフィルＡ、クロロフィルＢ、キサントフィル、カロテノイド、色素、ルテイン、Β−カロチン、アンテラキサンチン、ゼアキサンチン、ビオラキサンチン、又はそれらの任意の組み合わせを含むものとして選択並びに／又は特定される方法を提供する。
【００４１】
別の実施形態において、本明細書に記載の方法により選択される親植物の子孫は、親植物の直接の子孫（Ｆ１世代）である。別の実施形態において、親植物の子孫は、有性生殖又は無性生殖で生成される。別の実施形態において、子孫は、上昇した量のクロロフィル、色素、カロテノイド、又はそれらの任意の組み合わせを有する（有性生殖又は無性生殖で生成された）１つ又は複数の植物に由来するものである。別の実施形態において、本明細書に記載の方法により選択される親植物の子孫は、直接の後代の子孫のさらなる交差（Ｐ（親）の間接的な子孫とも呼ばれるＦ１の交差）によって得られる。別の実施形態において、改変された花の表現型を有する植物は、親植物から生じる子孫の２〜５０回の交差の結果である。別の実施形態において、改変された花の表現型を有する植物は、親植物から生じる子孫の２〜１０回の交差の結果である。別の実施形態において、改変された花の表現型を有する植物は、親植物から生じる子孫の２０〜５０回の交差の結果である。別の実施形態において、改変された花の表現型を有する植物は、親植物から生じる子孫の１２〜３０回の交差の結果である。別の実施形態において、改変された花の表現型を有する植物は、親植物から生じる子孫の５〜２５回の交差の結果である。
【００４２】
別の実施形態において、改変された花の表現型を有する植物は、Ｐ（親）の第２世代〜第５０世代である。別の実施形態において、Ｐ（親）の第２世代〜第５０世代で得られる改変された花の表現型を有する植物は、間接的な子孫と呼ばれる。別の実施形態において、間接的な子孫は、上昇した量のクロロフィル、色素、カロテノイド、又はそれらの任意の組み合わせを有する１つ又は複数の植物から生じるか、又はそれに由来する繁殖又は有性生殖の生成物である。別の実施形態において、間接的な子孫は、１つ若しくは複数の親植物ではない本発明の１つ若しくは複数の植物から生じるか、又はそれに由来する繁殖又は有性生殖の生成物である。
【００４３】
別の実施形態において、子孫は、本発明の植物から直接的又は間接的に生成される植物である。別の実施形態において、子孫は、本発明の親のカスミソウ植物から直接的又は間接的に生成される植物である。別の実施形態において、子孫は、本明細書に記載の改変された花の表現型を有するカスミソウ植物から直接的又は間接的に生成される植物である。別の実施形態において、子孫は、本発明の親のカスミソウ植物のＦ１〜Ｆ１００,０００である。別の実施形態において、子孫は、本明細書に記載の改変された花の表現型を有するカスミソウ植物のＦ１〜Ｆ１００,０００である。別の実施形態において、子孫は、本明細書に記載の改変された花の表現型を有するカスミソウ植物のＦ１〜Ｆ１０００である。別の実施形態において、子孫は、本明細書に記載の改変された花の表現型を有するカスミソウ植物のＦ１〜Ｆ５０である。
【００４４】
別の実施形態において、子孫は親植物の無性生殖子孫である。別の実施形態において、子孫は、本発明の植物の無性生殖子孫である。別の実施形態において、子孫は、親植物の栄養生殖子孫である。別の実施形態において、子孫は、本発明の植物の栄養生殖子孫である。別の実施形態において、子孫は、有性生殖で生成された別の子孫の無性生殖子孫である。別の実施形態において、子孫又は本発明の植物は、栄養繁殖又は繁殖により生成される。別の実施形態において、子孫は親の繁殖生成物である。別の実施形態において、本発明の植物又は本発明の植物の一部は、親植物の繁殖生成物である。別の実施形態において、子孫は親の繁殖生成物である。別の実施形態において、本発明の植物又は本発明の植物の一部は、親植物のクローン増殖生成物である。別の実施形態において、本発明の植物又は本発明の植物の一部はまた、本発明の植物の繁殖生成物である。別の実施形態において、本発明の植物は、親植物又は本明細書に記載の植物に由来した任意の繁殖生成物である。別の実施形態において、本発明の植物は、親植物又は本明細書に記載の植物に由来したクローン増殖生成物である。
【００４５】
別の実施形態において、本発明は、改変された花の表現型を特徴とするカスミソウの子孫植物を生成することができるカスミソウの親植物をスクリーニング及び／又は選択及び／又は特定するための方法であって、改変された表現型を有する花がクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせの上昇した濃度及び／又量を含み、クロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせの上昇した量が対照植物又は対照カスミソウ（本明細書で定義したものなど）におけるクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組合せの濃度及び／又は量の少なくとも１.２倍であり、（ａ）個々の植物から切花を準備すること；並びに（ｂ）水溶液及び１０〜１００ｍｇ／ｌのジベレリン酸（ＧＡ）を含む組成物（選択組成物）とカスミソウ植物の各切花を少なくとも１日間接触させること、を含み、白色とは対照的にクリーム色及び／若しくは黄色を有する花弁を発現する花が改変された表現型を有するものとして、かつ／又は上昇した濃度及び／若しくは量のクロロフィルＡ、クロロフィルＢ、キサントフィル、カロテノイド、色素、ルテイン、Β−カロチン、アンテラキサンチン、ゼアキサンチン、ビオラキサンチン、又はそれらの任意の組み合わせを含むものとして選択並びに／又は特定される方法を提供する。
【００４６】
別の実施形態において、本発明は、改変された表現型を有する花を有する子孫植物を生成することができるカスミソウ植物の親世代について、カスミソウ植物の集団のスクリーニング、選択、特定又はそれらの任意の組み合わせを行うための方法であって、改変された表現型を有する花がクロロフィルＡの上昇した量を含み、クロロフィルＡの上昇した量が対照のカスミソウにおけるクロロフィルＡの濃度と比較してクロロフィルＡ濃度の少なくとも１.２倍であり、（ａ）カスミソウ植物の個々の親世代から切花を準備すること；並びに（ｂ）水、１０〜５０ｍｇ／ｌのジベレリン酸、及び５〜２０ｍｇ／ｌのベンジルアデニンを含む組成物とカスミソウ植物の前記個々の親世代からの各切花を少なくとも２日間接触させること、を含み、白色とは対照的に黄色、クリーム色若しくはそれらの任意の組み合わせを有する花弁を発現する花が、改変された表現型をもつ花を有する子孫植物を生成することができるカスミソウ植物の親世代として選択される方法を提供する。
【００４７】
別の実施形態において、本発明は、改変された花の表現型を有する個々の植物の存在について、カスミソウ植物の集団をスクリーニングするための方法であって、改変された表現型を有する花が対照植物（対照のカスミソウの花）における同じカロテノイド及び／若しくは同じ色素の量並びに／又は濃度と比較してカロテノイド及び／若しくは色素の量並びに／又は濃度の少なくとも１.２倍を含み、（ａ）個々の植物から切花を準備すること；並びに（ｂ）水溶液及び５〜８０ｍｇ／ｌのジベレリン酸を含む組成物と各切花を少なくとも１日間接触させること、を含み、白色とは対照的にクリーム色及び／若しくは黄色を有する花弁を発現する花が改変された花の表現型を有するものとして選択並びに／又は特定される方法を提供する。別の実施形態において、スクリーニングのための方法は、選択するための方法である。
【００４８】
別の実施形態において、改変された花の表現型を有する子孫植物を生成することができるカスミソウの親植物の集団をクリーニングするための方法であって、改変された表現型を有する花はが対照植物（対照のカスミソウの花）における同じカロテノイド及び／若しくは同じ色素の量並びに／又は濃度と比較してカロテノイド及び／若しくは色素の量並びに／又は濃度の少なくとも１.２倍を含み、（ａ）カスミソウ植物のライブラリから切花を準備すること；並びに（ｂ）水溶液及び５〜８０ｍｇ／ｌのジベレリン酸を含む組成物と各切花を少なくとも１日間接触させること、を含み、白色とは対照的にクリーム色及び／若しくは黄色を有する花弁を発現する花が、改変された花の表現型を有する子孫植物を生成することができる親植物として選択並びに／又は特定される方法を提供する。別の実施形態において、スクリーニングのための方法は、選択するための方法である。
【００４９】
別の実施形態において、改変された花の表現型を有する子孫植物を生成することができるカスミソウの親植物は、改変された花の表現型を有していない。別の実施形態において、改変された花の表現型を有する子孫植物を生成することができるカスミソウの親植物は、本明細書に記載の組成物で特定することができる。
【００５０】
別の実施形態において、改変された花の表現型を有することは、植物の中に上昇した（対照植物と比較して少なくとも１.２倍の）濃度及び／又は量のクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせの存在を含む。別の実施形態において、改変された花の表現型を有することは、植物の花の中に又は花弁の中に上昇した（対照植物と比較して少なくとも１.２倍の）濃度及び／又は量のクロロフィルＡ、クロロフィルＢ、キサントフィル、カロテノイド、色素、ルテイン、ベータカロチン、アンテラキサンチン、ゼアキサンチン、ビオラキサンチン、又はその任意の組み合わせの存在を含む。
【００５１】
別の実施形態において、改変された花の表現型を有することは、花弁又は花の中の総カロテノイド含有量の１５〜７０％のルテインの存在をさらに特徴とする。別の実施形態において、改変された花の表現型を有することは、花弁又は花の中の総カロテノイド含有量の２５〜５０％のルテインの存在をさらに特徴とする。別の実施形態において、改変された花の表現型を有することは、花弁又は花の中の総カロテノイド含有量の２５〜３５％のルテインの存在をさらに特徴とする。
【００５２】
別の実施形態において、改変された花の表現型を有することは、花弁又は花の中の総カロテノイド含有量の１０〜５５％のベータカロチンの存在をさらに特徴とする。別の実施形態において、改変された花の表現型を有することは、花弁又は花の中の総カロテノイド含有量の２０〜４５％のベータカロチンの存在をさらに特徴とする。別の実施形態において、改変された花の表現型を有することは、花弁又は花の中の総カロテノイド含有量の２０〜３５％のベータカロチンの存在をさらに特徴とする。別の実施形態において、改変された花の表現型を有することは、花弁又は花の中の総カロテノイド含有量の２５〜５０％のベータカロチンの存在をさらに特徴とする。別の実施形態において、改変された花の表現型を有することは、花弁又は花の中の総カロテノイド含有量の２０〜３０％のベータカロチンの存在をさらに特徴とする。
【００５３】
別の実施形態において、改変された花の表現型を有することは、花弁表面積又は花の表面積の少なくとも５％に緑色、黄色、及び／又はオレンジ色を有する花弁をさらに特徴とする。別の実施形態において、改変された花の表現型を有することは、花弁表面積又は花の表面積の少なくとも７％に緑色、黄色、及び／又はオレンジ色を有する花弁をさらに特徴とする。別の実施形態において、改変された花の表現型を有することは、花弁表面積又は花の表面積の少なくとも１０％に緑色、黄色、及び／又はオレンジ色を有する花弁をさらに特徴とする。別の実施形態において、改変された花の表現型を有することは、花弁表面積又は花の表面積の少なくとも２０％に緑色、黄色、及び／又はオレンジ色を有する花弁をさらに特徴とする。別の実施形態において、改変された花の表現型を有することは、花弁表面積又は花の表面積の少なくとも３０％に緑色、黄色、及び／又はオレンジ色を有する花弁をさらに特徴とする。別の実施形態において、改変された花の表現型を有することは、花弁表面積又は花の表面積の少なくとも４０％に緑色、黄色、及び／又はオレンジ色を有する花弁をさらに特徴とする。
【００５４】
別の実施形態において、改変された花の表現型を有することは、花弁表面積又は花の表面積の１０％〜１００％に緑色、黄色、及び／又はオレンジ色を有する花弁をさらに特徴とする。別の実施形態において、改変された花の表現型を有することは、花弁表面積又は花の表面積の４０〜１００％に緑色、黄色、及び／又はオレンジ色を有する花弁をさらに特徴とする。別の実施形態において、改変された花の表現型を有することは、花弁表面積又は花の表面積の２０％〜８０％に緑色、黄色、及び／又はオレンジ色を有する花弁をさらに特徴とする。別の実施形態において、改変された花の表現型を有することは、花弁表面積又は花の表面積の５０％〜１００％に緑色、黄色、及び／又はオレンジ色を有する花弁をさらに特徴とする。別の実施形態において、改変された花の表現型を有することは、花弁表面積又は花の表面積の７５％〜１００％に緑色、黄色、及び／又はオレンジ色を有する花弁をさらに特徴とする。別の実施形態において、改変された花の表現型を有することは、花弁表面積又は花の表面積の８５％〜１００％に緑色、黄色、及び／又はオレンジ色を有する花弁をさらに特徴とする。別の実施形態において、改変された花の表現型を有することは、花弁表面積又は花の表面積の４０％〜９０％に緑色、黄色、及び／又はオレンジ色を有する花弁をさらに特徴とする。別の実施形態において、改変された花の表現型を有することは、花弁表面積又は花の表面積の５０％〜９０％に緑色、黄色、及び／又はオレンジ色を有する花弁をさらに特徴とする。
【００５５】
別の実施形態において、改変された花の表現型を有することは、花弁表面積又は花の表面積の少なくとも２．５％に白色を有する花弁をさらに特徴とする。別の実施形態において、改変された花の表現型を有することは、花弁表面積又は花の表面積の少なくとも５％に白色を有する花弁をさらに特徴とする。別の実施形態において、改変された花の表現型を有することは、花弁表面積又は花の表面積の少なくとも７％に白色を有する花弁をさらに特徴とする。別の実施形態において、改変された花の表現型を有することは、花弁表面積又は花の表面積の少なくとも１５％に白色を有する花弁をさらに特徴とする。別の実施形態において、改変された花の表現型を有することは、花弁表面積又は花の表面積の少なくとも２０％に白色を有する花弁をさらに特徴とする。別の実施形態において、改変された花の表現型を有することは、花弁表面積又は花の表面積の少なくとも３０％に白色を有する花弁をさらに特徴とする。
【００５６】
別の実施形態において、改変された花の表現型を有することは、花弁表面積又は花の表面積の２．５％〜８０％に白色を有する花弁をさらに特徴とする。別の実施形態において、改変された花の表現型を有することは、花弁表面積又は花の表面積の２．５％〜５０％に白色を有する花弁をさらに特徴とする。別の実施形態において、改変された花の表現型を有することは、花弁表面積又は花の表面積の５％〜４０％に白色を有する花弁をさらに特徴とする。別の実施形態において、改変された花の表現型を有することは、花弁表面積又は花の表面積の５％〜４０％に白色を有する花弁をさらに特徴とする。別の実施形態において、改変された花の表現型を有することは、花弁表面積又は花の表面積の１０％〜３０％に白色を有する花弁をさらに特徴とする。
【００５７】
別の実施形態において、改変された花の表現型を有することは、花弁表面積又は花の表面積の８５％〜１００％に白色を有する花弁をさらに特徴とする。別の実施形態において、改変された花の表現型を有することは、花弁表面積又は花の表面積の４０％〜９０％に緑色、黄色、及び／又はオレンジ色を有する花弁をさらに特徴とする。別の実施形態において、改変された花の表現型を有することは、花弁表面積又は花の表面積の５０％〜９０％に緑色、黄色、及び／又はオレンジ色を有する花弁をさらに特徴とする。
【００５８】
別の実施形態において、少なくとも１.２倍は、少なくとも１.４倍である。別の実施形態において、少なくとも１.２倍は、少なくとも１.５倍である。別の実施形態において、少なくとも１.２倍は、少なくとも１.８倍である。別の実施形態において、少なくとも１.２倍は、少なくとも２倍である。別の実施形態において、少なくとも１.２倍は、少なくとも２.５倍である。別の実施形態において、少なくとも１.２倍は、少なくとも２.８倍である。別の実施形態において、少なくとも１.２倍は、少なくとも３倍である。別の実施形態において、少なくとも１.２倍は、少なくとも３.５倍である。別の実施形態において、少なくとも１.２倍は、少なくとも４倍である。別の実施形態において、少なくとも１.２倍は、少なくとも４.５倍である。別の実施形態において、少なくとも１.２倍は、少なくとも５倍である。
【００５９】
別の実施形態において、少なくとも１.２倍は、１．２〜２０倍である。別の実施形態において、少なくとも１.２倍は、１.２〜１８倍である。別の実施形態において、少なくとも１.２倍は、１．５〜２０倍である。別の実施形態において、少なくとも１.２倍は、１.２〜１５倍である。別の実施形態において、少なくとも１.２倍は、１．２〜１２倍である。別の実施形態において、少なくとも１.２倍は、１.５〜１０倍である。別の実施形態において、少なくとも１.２倍は、２〜１０倍である。別の実施形態において、少なくとも１.２倍は、１.５〜８倍である。
【００６０】
別の実施形態において、水溶液を含む本発明の組成物は、水及び１０〜１００ｍｇ／ｌのジベレリン酸を含む。別の実施形態において、水溶液を含む組成物は、水及び１０〜１００ｍｇ／ｌのジベレリン酸を含む。別の実施形態において、水溶液を含む組成物は、水及び１２〜５０ｍｇ／ｌのジベレリン酸を含む。別の実施形態において、水溶液を含む組成物は、水及び１０〜３０ｍｇ／ｌのジベレリン酸を含む。別の実施形態において、水溶液を含む組成物は、水及び２０〜５０ｍｇ／ｌのジベレリン酸を含む。別の実施形態において、水溶液を含む組成物は、水及び１５〜５０ｍｇ／ｌのジベレリン酸を含む。
【００６１】
別の実施形態において、本明細書に記載の水溶液を含む組成物は、１〜１００ｍｇ／ｌのベンジルアデニンをさらに含む。別の実施形態において、本明細書に記載の水溶液を含む組成物は、５〜８０ｍｇ／ｌのベンジルアデニンをさらに含む。別の実施形態において、本明細書に記載の水溶液を含む組成物は、５〜５０ｍｇ／ｌのベンジルアデニンをさらに含む。別の実施形態において、本明細書に記載の水溶液を含む組成物は、５〜２０ｍｇ／ｌのベンジルアデニンをさらに含む。別の実施形態において、本明細書に記載の水溶液を含む組成物は、１０〜２５ｍｇ／ｌのベンジルアデニンをさらに含む。別の実施形態において、本明細書に記載の水溶液を含む組成物は、１５〜４５ｍｇ／ｌのベンジルアデニンをさらに含む。
【００６２】
別の実施形態において、語句「少なくとも１日間」は、少なくとも３０時間である。別の実施形態において、語句「少なくとも１日間」は、少なくとも２日である。別の実施形態において、語句「少なくとも１日間」は、少なくとも３日である。別の実施形態において、語句「少なくとも１日間」は、少なくとも４日である。別の実施形態において、語句「少なくとも１日間」は、少なくとも５日である。別の実施形態において、語句「少なくとも１日間」は、１日〜１０日である。別の実施形態において、語句「少なくとも１日間」は、１日〜７日である。別の実施形態において、語句「少なくとも１日間」は、２日〜１０日である。別の実施形態において、語句「少なくとも１日間」は、２日〜５日である。別の実施形態において、語句「少なくとも１日間」は、３日〜７日である。
【００６３】
別の実施形態において、本発明は、上昇した濃度及び／又量のクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせを含むとして特徴づけられる、本明細に記載の植物又は１つ若しくは複数の親植物の子孫であって、クロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせの上昇した量が対照植物又は対照のカスミソウ（本明細書で定義されるものなど）におけるクロロフィルＡ、クロロフィルＢ、キサントフィル、カロテノイド、色素、ルテイン、ベータカロチン、アンテラキサンチン、ゼアキサンチン、ビオラキサンチン、又はそれらの任意の組み合わせの濃度及び／又は量の少なくとも１.２倍である植物又は１つ若しくは複数の親植物の子孫を提供する。本明細書に記載されるように、植物の中又は植物の花の中のクロロフィルＡ、クロロフィルＢ、キサントフィル、カロテノイド、色素、ルテイン、ベータカロチン、アンテラキサンチン、ゼアキサンチン、ビオラキサンチン又はその任意の組み合わせの上昇した（対照植物と比較して少なくとも１.２倍の）濃度及び／又は量の存在。別の実施形態において、「植物の花」は、１つの花に対する１つ又は複数の花弁を含む。
【００６４】
別の実施形態において、子孫は、本発明の植物に由来するか又は本発明の植物によって生成される植物である。別の実施形態において、子孫は、本発明の植物に由来する植物部分である。別の実施形態において、子孫は、その祖先、その親又はその「Ｐ世代」が本発明の植物である植物である。別の実施形態において、子孫は、小枝の形態である。別の実施形態において、子孫又は植物部分は、若枝の形態である。別の実施形態において、子孫又は植物部分は、挿し木の形態である。別の実施形態において、子孫又は植物部分は、切り枝の形態である。別の実施形態において、子孫又は植物部分は、種子の形態である。
【００６５】
別の実施形態において、「植物部分」は、本明細書に記載の植物の任意の部分又は器官である。別の実施形態において、「子孫の一部」は、本明細書に記載の植物の子孫の任意の部分又は器官である。別の実施形態において、植物は「植物部分」である。
【００６６】
別の実施形態において、植物及び／又は子孫は、本明細書に記載の改変された表現型及び良好な特徴を有するカスミソウである。別の実施形態において、植物及び／又は子孫は、花弁中の総カロテノイド含有量の１５〜７０％のルテインの存在をさらに特徴とする。別の実施形態において、植物及び／又は子孫は、花弁中の総カロテノイド含有量の２５〜５０％のルテインの存在をさらに特徴とする。別の実施形態において、植物及び／又は子孫は、花弁中の総カロテノイド含有量の２５〜３５％のルテインの存在をさらに特徴とする。
【００６７】
別の実施形態において、植物及び／又は子孫は、花弁又は花の中の総カロテノイド含有量の１０〜５５％のベータカロチンの存在をさらに特徴とする。植物及び／又は子孫は、花弁又は花の中の総カロテノイド含有量の２０〜４５％のベータカロチンの存在をさらに特徴とする。別の実施形態において、植物及び／又は子孫は、花弁又は花の中の総カロテノイド含有量の２０〜３５％のベータカロチンの存在をさらに特徴とする。植物及び／又は子孫は、花弁又は花の中の総カロテノイド含有量の２５〜５０％のベータカロチンの存在をさらに特徴とする。別の実施形態において、植物及び／又は子孫は、花弁又は花の中の総カロテノイド含有量の２０〜３０％のベータカロチンの存在をさらに特徴とする。
【００６８】
別の実施形態において、植物及び／又は子孫は、花弁表面積又は花の表面積の少なくとも５％に緑色、黄色、及び／又はオレンジ色を有する花弁をさらに特徴とする。別の実施形態において、植物及び／又は子孫は、花弁表面積又は花の表面積の少なくとも７％に緑色、黄色、及び／又はオレンジ色を有する花弁をさらに特徴とする。別の実施形態において、植物及び／又は子孫は、花弁表面積又は花の表面積の少なくとも１０％に緑色、黄色、及び／又はオレンジ色を有する花弁をさらに特徴とする。別の実施形態において、植物及び／又は子孫は、花弁表面積又は花の表面積の少なくとも２０％に緑色、黄色、及び／又はオレンジ色を有する花弁をさらに特徴とする。別の実施形態において、植物及び／又は子孫は、花弁表面積又は花の表面積の少なくとも３０％に緑色、黄色、及び／又はオレンジ色を有する花弁をさらに特徴とする。別の実施形態において、植物及び／又は子孫は、花弁表面積又は花の表面積の少なくとも４０％に緑色、黄色、及び／又はオレンジ色を有する花弁をさらに特徴とする。
【００６９】
別の実施形態において、植物及び／又は子孫は、花弁表面積又は花の表面積の１０％〜１００％に緑色、黄色、及び／又はオレンジ色を有する花弁をさらに特徴とする。別の実施形態において、植物及び／又は子孫は、花弁表面積又は花の表面積の４０％〜１００％に緑色、黄色、及び／又はオレンジ色を有する花弁をさらに特徴とする。別の実施形態において、植物及び／又は子孫は、花弁表面積又は花の表面積の２０％〜８０％に緑色、黄色、及び／又はオレンジ色を有する花弁をさらに特徴とする。別の実施形態において、植物及び／又は子孫は、花弁表面積又は花の表面積の５０％〜１００％に緑色、黄色、及び／又はオレンジ色を有する花弁をさらに特徴とする。別の実施形態において、植物及び／又は子孫は、花弁表面積又は花の表面積の７５％〜１００％に緑色、黄色、及び／又はオレンジ色を有する花弁をさらに特徴とする。別の実施形態において、植物及び／又は子孫は、花弁表面積又は花の表面積の８５％〜１００％に緑色、黄色、及び／又はオレンジ色を有する花弁をさらに特徴とする。別の実施形態において、植物及び／又は子孫は、花弁表面積又は花の表面積の４０％〜９０％に緑色、黄色、及び／又はオレンジ色を有する花弁をさらに特徴とする。別の実施形態において、植物及び／又は子孫は、花弁表面積又は花の表面積の５０％〜９０％に緑色、黄色、及び／又はオレンジ色を有する花弁をさらに特徴とする。
【００７０】
別の実施形態において、植物及び／又は子孫は、花弁表面積の少なくとも２.５％に白色を有する花弁をさらに特徴とする。別の実施形態において、植物及び／又は子孫は、花弁表面積の少なくとも５％に白色を有する花弁をさらに特徴とする。別の実施形態において、植物及び／又は子孫は、花弁表面積の少なくとも７％に白色を有する花弁をさらに特徴とする。別の実施形態において、植物及び／又は子孫は、花弁表面積の少なくとも１５％に白色を有する花弁をさらに特徴とする。別の実施形態において、植物及び／又は子孫は、花弁表面積の少なくとも２０％に白色を有する花弁をさらに特徴とする。別の実施形態において、植物及び／又は子孫は、花弁表面積の少なくとも３０％に白色を有する花弁をさらに特徴とする。
【００７１】
別の実施形態において、植物及び／又は子孫は、花弁表面積の２.５％〜８０％に白色を有する花弁をさらに特徴とする。別の実施形態において、植物及び／又は子孫は、花弁表面積の２.５％〜５０％に白色を有する花弁を特徴とする。別の実施形態において、植物及び／又は子孫は、花弁表面積の５％〜４０％に白色を有する花弁をさらに特徴とする。別の実施形態において、植物及び／又は子孫は、花弁表面積の５％〜４０％に白色を有する花弁をさらに特徴とする。別の実施形態において、植物及び／又は子孫は、花弁表面積の１０％〜３０％に白色及び／又は黄色を有する花弁をさらに特徴とする。
【００７２】
別の実施形態において、本発明の植物は、上述したように、少なくとも１日間、１０〜５０ｍｇ／ｌのジベレリン酸を含む水性組成物と花を接触させる際に、緑色、黄色、及び／又はクリーム色を有する花弁のみを発現する親の直接の子孫である。
【００７３】
別の実施形態において、本発明は、本明細書でさらに説明されるような、１０〜５０ｍｇ／ｌのジベレリン酸を含む水性組成物をさらに提供する。別の実施形態において、本発明は、１０〜５０ｍｇ／ｌのジベレリン酸を含む水性組成物が上昇した量のクロロフィルＡを有する植物を選択するためであることをさらに提供する。別の実施形態において、本発明は、上昇した量の色素（複数可）及び／又はカロテノイド（複数可）を有する植物用の選択組成物である１０〜５０ｍｇ／ｌのジベレリン酸を含む水性組成物をさらに提供する。別の実施形態において、水性組成物は、本明細書に記載されるように親植物を特定及び／又は選択するために使用される。
【００７４】
別の実施形態において、黄色／緑色／オレンジ色を有する花弁は、花弁表面積の２％〜１００％に黄色／緑色／オレンジ色を有する花弁である。別の実施形態において、黄色／緑色／オレンジ色を有する花弁は、開花期又はつぼみが閉じている時期の花弁表面積の２％〜１００％に黄色／緑色／オレンジ色を有する花弁である。別の実施形態において、黄色／緑色／オレンジ色を有する花弁は、花弁表面積の２％〜８０％に黄色／緑色／オレンジ色を有する花弁である。別の実施形態において、黄色／緑色／オレンジ色を有する花弁は、花弁表面積の５％〜７５％に黄色／緑色／オレンジ色を有する花弁である。別の実施形態において、黄色／緑色／オレンジ色を有する花弁は、花弁表面積の１０％〜５０％に黄色／緑色／オレンジ色を有する花弁である。別の実施形態において、黄色／緑色／オレンジ色を有する花弁は、花弁表面積の２０％〜７０％に黄色／緑色／オレンジ色を有する花弁である。
【００７５】
別の実施形態において、つぼみが閉じている時期の花は休眠芽を有する。別の実施形態において、つぼみが閉じている時期の花は堅固なつぼみを有する。別の実施形態において、つぼみが閉じている時期の花は、つぼみの膨張期にある。別の実施形態において、つぼみが閉じている時期の花は、初期の緑色の先端を含む。別の実施形態において、つぼみが閉じている時期は、つぼみがほころぶ時期の前である。別の実施形態において、つぼみが閉じている時期は、開花時期の前である。
【００７６】
別の実施形態において、花は、２列以上の花弁、及び目で明確に定義される中心を有する花である半八重である。別の実施形態において、花の種類は、数列の花弁、及び目に見えない中心を有する花である八重である。別の実施形態において、花は、数列の花弁、目に見えない中心を有し、花の中央に位置する若いつぼみを発現している花である八重多花である。別の実施形態において、花は４ｍｍ（直径）よりも小さい。別の実施形態において、花は５ｍｍ（直径）よりも小さい。別の実施形態において、花は２ｍｍ〜１０ｍｍ（直径）である。別の実施形態において、花は４ｍｍ〜１０ｍｍ（直径）である。別の実施形態において、花は４〜８ｍｍの直径を有する。別の実施態様において、花は４ｍｍ〜１８ｍｍ（直径）である。別の実施形態において、花は６ｍｍ〜１５ｍｍ（直径）である。
【００７７】
いくつかの実施形態において、本発明は、本発明の植物及び／又は親植物並びに対照植物を区別できる本発明の組成物の予想外の発見に基づいている。親植物の中のこれらの本質的特性（親植物の中の黄色／淡黄色／クリーム色を有する花弁）は、切花又は挿し木を本明細書に記載の選択組成物と接触させることなく、肉眼で検出することはできない。
【００７８】
本明細書で使用する単数形「１つ（ａ）」、「１つ（ａｎ）」及び「その」は、文脈が明確に指示しない限り、複数形を含む。したがって、例えば、「治療薬」への言及は、２種以上の治療薬への言及を含む。
【００７９】
特に記載しないか、又は文脈から明白でない限り、本明細書で使用する用語「又は」は、包括的であると理解される。
【００８０】
用語「含む」は、語句「を含むがこれらに限定されない」を意味するように本明細書で使用され、その語句と互換的に使用される。
【００８１】
一実施形態において、用語「含む（ｃｏｍｐｒｉｓｅ）」、「含んでいる（ｃｏｍｐｒｉｓｉｎｇ）」、「含有する」、及び「有する」などは、米国特許法でそれらに帰する意味を有し、「含む（ｉｎｃｌｕｄｅ）」及び「含んでいる（ｉｎｃｌｕｄｉｎｇ）」などを意味することができる。「から本質的になる」又は「本質的になる」は、同様に米国特許法に帰する意味を有し、用語は、列挙されているものの基本的又は新規な特徴が、列挙されているもの以上の存在によって変更されない限り、列挙されているもの以上の存在を考慮して、限りがないが、先行技術の実施形態を除外する。別の実施形態において、用語「含む」は、用語「なる」を含む。
【００８２】
別の実施形態において、「％」のいずれの記載も、重量／重量％、体積／体積％、又は重量／体積％である。
【００８３】
特に記載しないか、又は文脈から明白でない限り、本明細書で使用する用語「約」は、当技術分野における通常の許容誤差の範囲内、例えば、平均値の２つの標準偏差以内であると理解される。約は、規定値の１０％、９％、８％、７％、６％、５％、４％、３％、２％、１％、０.５％、０.１％、０.０５％、又は０.０１％以内と理解することができる。特に文脈から明らかでない限り、本明細書で提供される全ての数値は、用語約により修飾される。
【００８４】
本発明の追加の目的、利点、及び新規な特徴は、限定することを意図するものではない以下の実施例を考察すれば、当業者には明らかになるであろう。その上、上記に示し、かつ以下の特許請求の範囲に記載の本発明の様々な実施形態及び態様の各々は、以下の実施例で実験的に裏付けられる。
【００８５】
実施例
定義
花の種類：一重：１列の花弁を有する花。半八重：２列以上の花弁及び目で明確に定義される中心を有する花。八重：数列の花弁、及び目に見えない中心を有する花。八重多花：数列の花弁、目に見えない中心を有し、花の中心部に若いつぼみの発現が見られる花。
【００８６】
花のサイズ：小−５ｍｍより小さい、中−６〜９ｍｍ、大−９〜１２ｍｍ、ＸＬ−１２ｍｍより大きい。
【００８７】
花の発達段階：１−閉じた花芽、２−開花前の花、３−開花期の花
【００８８】
実施例１：シュッコンカスミソウのカロテノイド／色素及び貯蔵寿命の選択戦略
シュッコンカスミソウにおける他の望ましい多遺伝子性特性と特定の色パターンの特徴を合わせる努力は、耐え難いほど時間がかかり、面倒であった。しかしながら、本明細書に記載するように、本発明者らは、新規な花の色及び又は花の色パターンを導き出した。
【００８９】
カスミソウにおける緑色の花弁形質の起源と繁殖の歴史
緑色の花弁を有するカスミソウ植物を直接もたらす交差及び選択を、以下の説明に従って行った。
【００９０】
茎の花瓶寿命評価を、切花の新品種を選択するプロセスで通常どおり行った。防腐剤の溶液は、エネルギー源を供給し、微生物増加及び維管束閉塞を低下させ、茎の水の取り込みを増加させ、エチレンの負の効果を停止させるのに一般的に必要である（Ｎｉｇｕｓｓｉｅ、２００５）。保持（花瓶）溶液への異なる化学防腐剤の組み込みは、切花の花瓶寿命を延長するために勧められる（Ｉｃｈｉｍｕｒａら、２００６）。そのため、切花の花瓶寿命を延長するための代替技術は、商業的関心事である（Ｓｅｒｅｋら、１９９５）。
【００９１】
２００６年２月に、切花の有効期間を延長するための異なる実験において、研究者らは、５ｍｇ／ｌ〜１０ｍｇ／ｌの一般的なＧＡ濃度を最大２５ｍｇ／ｌまで増加させ、さらにこの溶液に１０ｍｇ／ｌのＢＡ（ベンジルアデニン）を添加した。予想外にも、新しい切花溶液（選択組成物としても記載されている）の条件下で新種−クリーム色及び／又は淡黄色の花弁を有する植物が発見された。しかしながら、この新しい選択用組成物／選択組成物中で様々な植物からの様々な切花を２日間インキュベーションすると、集団の中の非常に低い割合が緑色／黄色／クリーム色の花弁を発現していることが判明し、この品種を親植物として選択した。植物４０１６は、放任受粉及び自家受粉由来の白色カスミソウ育種系統のＦ１雑種集団の中で発見された。
【００９２】
緑色及び／又は黄色の花の色の選択を、雌植物として、４０１６の放任受粉及び自家受粉から生じる集団で最初に行った。２００６年〜２０１０年のいくつかの世代の後、これらの選択により、５２０９、５２１０、５２１１、５２１２、５２１３及び５４５３として記述された８系統がもたらされた。
【００９３】
植物５２０９及び５２１０は２００９年に選択され、５２０９はクリーム色−薄緑色（開花期）の八重花を特徴とし、５２１０は緑色がかった色（開花期）の八重花を特徴とした。
【００９４】
植物５２１１、５２１２及び５２１０も２００９年に選択され（しかし、異なるフィールドの場所で）、５２１１は緑色中心色とクリーム薄緑色（開花期）の八重花を特徴とし、５２１２は薄緑色中心色とクリーム色（開花期）の八重花を特徴とし、５２１３は薄緑色（開花期）の八重花を特徴とした。植物５４５３は２００９年に選択され、５２０９は薄黄色−緑色（開花期）の八重花を特徴とした。
【００９５】
緑色花弁を有すると選択されたカスミソウ植物の形態学的特徴の説明を表１に提示する。表１に示すように、列１は各ハイブリッドに割り当てられた番号を示し、列２は花のサイズ（Ｓ−小、Ｍ−中、Ｌ−大）を示し、列３は花の種類（Ｓ−Ｍ−半八重、Ｄ−八重、Ｄ−Ｍ−八重多花）を示し、列４〜６は発達段階を通じた花の色（ＲＨＳ ２００７）の説明を示す。
表１
【表１】
2018506268.tif 000003
【００９６】
実施例２：カスミソウ植物中の色素分析
本教示に従って作製したいくつかのカスミソウ植物からの花を色素分析に供した。
【００９７】
植物材料
イソプレノイド抽出用の花を、２０１３年８月に開花した植物から採取し、これらの植物は２０１３年３月にオープンフィールドに植えた。これらの植物は次のように成長させた：栽植密度は１ｍ２の床あたり６つの植物であり、植え付け後４週間の時点で植物を摘心し、植え付け後６週間の時点で４００ｐｐｍのジベレリン酸を噴霧した。
【００９８】
イソプレノイドの抽出と分析
イソプレノイド抽出を、小さな変更を加えて、以前にＦｒａｓｅｒら（２０００）及びＢｉｎｏら（２００５）によって記載されているように行った：冷凍したカスミソウ花の粉末（０.１ｇ）を、０.１％のブチル化ヒドロキシトルエン（ＢＨＴ）を含有する０.５ｍｌのメタノールで抽出した。試料を５分間振盪し、次いで、０.５ｍｌの混合物Ｔｒｉｓ−ＨＣｌ緩衝液ｐＨ７.５（５０ｍＭ）を添加し（１ＭのＮａＣｌを含有する）、試料を１０分間振盪した。冷クロロホルム０.４ｍｌ＋０.１％ＢＨＴを添加した後、１０分間振盪した。これらの試料を、１５分（４５００ｒｐｍ）で遠心分離した。クロロホルム相を回収し、その際試料の水相を０.２ｍｌの冷クロロホルム混合物で再抽出し、次いでクロロホルム画分を合わせ、Ｎ２気流下で乾燥させた。乾燥残渣を０.１ｍｌの酢酸エチルに再懸濁し、ボルテックスして、０.４５μＭ  ４ｍｍのＰＴＦＥ膜フィルターを通して濾過し、分析のために採取した。抽出物は４℃に保ち、全調製中に強い光から保護した。４×３ｍｍのＣ１８ガード（Ｐｈｅｎｏｍｅｎｅｘ）に連結され３０℃で維持される、Ｗａｔｅｒｓ ２６９０分離モジュール（Ｗａｔｅｒｓ社製クロマトグラフィー、米国マサチューセッツ州ミルフォード）、Ｗａｔｅｒｓ２９９６フォトダイオードアレイ検出器及びＷａｔｅｒｓ ４７０走査型蛍光検出器ＹＭＣ−Ｐａｃｋ逆相Ｃ３０カラム（２５０×４．６ｍｍ；５μｍ）からなるＨＰＬＣシステムを、化合物の分離のために使用した。移動相組成、勾配及び流速は、Ｆｒａｓｅｒら（２０００）によって記載されている通りであった。ＵＶスペクトルを２００ｎｍから７５０ｎｍまで監視し、蛍光検出器は、２９６ｎｍでの励起及び３４０ｎｍでの発光に設定した。ウォーターズＭｉｌｌｅｎｎｉｕｍ３２ソフトウェアを使用して、データを収集し分析した。溶出ピークの吸光度スペクトル及び保持時間を、市販のイソプレノイド標準物質：α−トコフェロール（Ａｌｄｒｉｃｈ）、ベータカロチン（Ｓｉｇｍａ）、ルテイン（Ｆｌｕｋａ）：ゼアキサンチン、ビオラキサンチン、アンテラキサンチン（Ａｐｉｎ）のものと比較した。化合物のピーク面積を、最大吸光度を提供する波長で決定した。
【００９９】
化合物の濃度を、市販の標準物質（α−トコフェロール（Ａｌｄｒｉｃｈ）、ベータカロチン（Ｓｉｇｍａ）、ルテイン（Ｆｌｕｋａ）、ゼアキサンチン、ビオラキサンチン（Ａｐｉｎ）の３つの既知の濃度を用いる標準曲線に基づいて計算した（結果の表を参照されたい）。
【０１００】
結果
イソプレノイド分析の結果を以下の表２に提示し、図１にまとめる。異なる発達段階：１−閉鎖花芽、２−開花前の花、３−開花期の花における花のプリーツを収集し、抽出し、ＨＰＬＣを用いて分析した。緑色のカスミソウの品種は、白色開花カスミソウと比較して、花の異なる発達段階でクロロフィル、カロテノイド及びα−トコフェロールのレベルの上昇を示す。
【０１０１】
商業的に知られている白色開花カスミソウの栽培品種ミリオンスターズ（Ｍ．Ｓ）との対比による、緑色の花の色（５２１０及び５２１２）を有する２種類のカスミソウ品種の花弁におけるイソプレノイド含有量の分析により、閉じた花芽における色素及びカロテノイド蓄積ピークの発現パターンの類似性が明らかになった（表２、図１）。
【０１０２】
ベータカロチン、クロロフィルＡ及びクロロフィルＢが、試験したカスミソウ品種の花弁の中の主要な色素として特定された。色素分析により、品種５２１０及び５２１２におけるベータカロチンの濃度比は、Ｍ．Ｓと比較してそれぞれ、開花期（段階３）に４.１及び２.９（従って）より高く、開花前の花（段階２）で３.５及び３.８より高く、閉じた花芽（段階１）で３.２及び２.６より高いことが示された。品種５２１０及び５２１２におけるクロロフィルＡの比率は、Ｍ．Ｓと比較してそれぞれ、開花期（段階３）に４.２及び３倍高く、開花前の花（段階２）で３.３及び３.５倍高く、閉じた花芽（段階１）で３.１及び２.５倍高かった。品種５２１０及び５２１２におけるクロロフィルＢの比率は、Ｍ．Ｓと比較してそれぞれ、開花期（段階３）に５.３及び３.９より高く、開花前の花（段階２）で３.７及び４.２より高く、閉じた花芽（段階１）で３.４及び２.９より高かった。カスミソウ花弁において特定されたカロテノイドは、ルテイン、ｂ−カロチン、ビオレキサンチン、及びゼアキサンチンであった。主要な色素はベータカロチン及びクロロフィルＡであり、試験した品種の花弁における総色素含有量のそれぞれ約３９〜４５％及び２２〜２８％を占めた。色素クロロフィルＢ、α−トコフェロール及びルテインは、試験した品種の花弁における総色素含有量のそれぞれ約９〜１４％、９〜２７％及び１〜２％を占めた。カスミソウＭ．Ｓにおいて、α−トコフェロールは第３の色素として特定され、総色素含有量の１６〜２７％を占め、一方で緑色品種５２１０及び５２１２においてα−トコフェロールは第４の色素として特定され（クロロフィルＢは第３番目であった）、総色素含有量の９〜１４％を占めた。少量のビオレキサンチン及びゼアキサンチンも特定された。
【０１０３】
品種５２１０及び５２１２におけるα−トコフェロールの比率は、Ｍ．Ｓと比較してそれぞれ、開花期（段階３）に１.４及び１.３倍高く、開花前の花（段階２）で１.５及び２倍高く、閉じた花芽（段階１）で１.７及び１.６倍高かった。
【０１０４】
品種５２１０及び５２１２におけるルテインの比率は、Ｍ．Ｓと比較してそれぞれ、開花期（段階３）に７及び４.２倍高く、開花前の花（段階２）で５.２及び４.９倍高く、閉じた花芽（段階１）で４及び３倍高かった。
【０１０５】
品種５２１０及び５２１２におけるビオレキサンチンの比率は、Ｍ．Ｓと比較してそれぞれ、開花期（段階３）に４９.１及び１９.４倍高く、開花前の花（段階２）で１６.３及び８倍高く、閉じた花芽（段階１）で４.６及び１.８倍高かった。
【０１０６】
品種５２１０及び５２１２におけるゼアキサンチンの比率は、Ｍ．Ｓと比較してそれぞれ、開花期（段階３）に４５.３及び２９.４倍高く、開花前の花（段階２）で１１３.３及び１２４.７倍高く、閉じた花芽（段階１）で１１.１及び１３倍高かった。
表２
【表２】
2018506268.tif 000004
【０１０７】
結論として、市場の全てのシュッコンカスミソウ又は任意のカスミソウの雑種は、白色又は淡いピンクのモノ色花弁を有する。本発明は、例えば、緑色、クリーム色、及び黄色／緑色／オレンジ色及び／又は多色の花弁を含む、特有の配色を有する最初のカスミソウ品種の開発を提供する。
【０１０８】
これらの導入物から、および育種方法を用いて、本発明者は、これらのカスミソウ植物とピンクの品種を交配することにより、新しい色及び又は多色を導入できる。
【図１】
2018506268.tif 000005
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
改変された表現型を有する花を含むカスミソウ植物であって、改変された表現型を有する前記花はベータ−カロチンの上昇した量を含み、前記ベータ−カロチンの上昇した量が対照のカスミソウ花中の前記ベータ−カロチン濃度と比較して前記ベータ−カロチン濃度の少なくとも２倍である、カスミソウ植物。
【請求項２】
前記カスミソウ花が、開花期にあるか又はつぼみが閉じている時期にある、請求項１に記載の植物。
【請求項３】
改変された表現型を有する前記花が、クロロフィルＡの上昇した量であって、開花期にあるか又はつぼみが閉じている時期にあるカスミソウの栽培品種ミリオンスターズ（Ｍ．Ｓ）中の前記クロロフィルＡ濃度と比較して前記クロロフィルＡ濃度の少なくとも２倍であるクロロフィルＡの上昇した量、クロロフィルＢの上昇した量であって、開花期にあるか又はつぼみが閉じている時期にあるカスミソウの栽培品種ミリオンスターズ（Ｍ．Ｓ）中の前記クロロフィルＢ濃度と比較して前記クロロフィルＢ濃度の少なくとも２倍であるクロロフィルＢの上昇した量、ゼアキサンチンの上昇した量であって、開花期にあるか又はつぼみが閉じている時期にあるカスミソウの栽培品種ミリオンスターズ（Ｍ．Ｓ）中の前記ゼアキサンチン濃度と比較して前記ゼアキサンチン濃度の少なくとも１０倍であるゼアキサンチンの上昇した量、ビオラキサンチンの上昇した量であって、開花期にあるか又はつぼみが閉じている時期にあるカスミソウの栽培品種ミリオンスターズ（Ｍ．Ｓ）中の前記ビオラキサンチン濃度と比較して前記ビオラキサンチン濃度の少なくとも１．５倍であるビオラキサンチンの上昇した量、又はそれらの組み合わせをさらに含む、請求項１に記載の植物。
【請求項４】
改変された表現型を有する前記花が、花弁中に全色素、カロテノイド又はその両方の含有量の０.５〜４％のルテイン、花弁中に全色素、カロテノイド又はその両方の含有量の３０〜５０％のベータ−カロチン、花弁中に全色素及び／若しくはカロテノイド含有量の８〜３０％のα−トコフェロール、又はそれらの任意の組み合わせを含む、請求項１に記載の植物。
【請求項５】
改変された表現型を有する前記花の花弁表面積の少なくとも１５％が、緑色、黄色、オレンジ色又はそれらの任意の組み合わせである、請求項１に記載の植物。
【請求項６】
改変された表現型を有する前記花の花弁表面積の少なくとも１０％が、白色、黄色、又はその両方である、請求項１に記載の植物。
【請求項７】
改変された表現型をもつ花を有する子孫植物を生成することができるカスミソウ植物の親世代についてカスミソウ植物の集団をスクリーニングするための方法であって、改変された表現型を有する前記花がベータ−カロチンの上昇した量を含み、前記ベータ−カロチンの上昇した量が対照のカスミソウ花中の前記ベータ−カロチン濃度と比較して前記ベータ−カロチン濃度の少なくとも２倍であり、（ａ）カスミソウ植物の前記個々の親世代から切花を準備すること；並びに（ｂ）水、１０〜５０ｍｇ／ｌのジベレリン酸、及び５〜２０ｍｇ／ｌのベンジルアデニンを含む組成物とカスミソウ植物の前記個々の親世代からの各切花を少なくとも２日間接触させること、を含み、白色とは対照的にクリーム色、黄色、又はそれらの組み合わせを有する花弁を発現する花が改変された表現型をもつ花を有する子孫植物を生成することができるカスミソウ植物の親世代として選択される、方法。
【請求項８】
前記対照のカスミソウが、カスミソウの栽培品種ミリオンスターズ（Ｍ．Ｓ）である、請求項７に記載の方法。
【請求項９】
前記カスミソウが、開花期にあるか又はつぼみが閉じている時期にある、請求項７に記載の方法。
【請求項１０】
改変された表現型を有する前記花が、クロロフィルＡの上昇した量であって、開花期にあるか又はつぼみが閉じている時期にあるカスミソウの栽培品種ミリオンスターズ（Ｍ．Ｓ）中の前記クロロフィルＡ濃度と比較して前記クロロフィルＡ濃度の少なくとも２倍であるクロロフィルＡの上昇した量、クロロフィルＢの上昇した量であって、開花期にあるか又はつぼみが閉じている時期にあるカスミソウの栽培品種ミリオンスターズ（Ｍ．Ｓ）中の前記クロロフィルＢ濃度と比較して前記クロロフィルＢ濃度の少なくとも２倍であるクロロフィルＢの上昇した量、ベータカロチンの上昇した量であって、開花期にあるか又はつぼみが閉じている時期にあるカスミソウの栽培品種ミリオンスターズ（Ｍ．Ｓ）中の前記ベータカロチン濃度と比較して前記ベータカロチン濃度の少なくとも２倍であるベータカロチンの上昇した量、ゼアキサンチンの上昇した量であって、開花期にあるか又はつぼみが閉じている時期にあるカスミソウの栽培品種ミリオンスターズ（Ｍ．Ｓ）中の前記ゼアキサンチン濃度と比較して前記ゼアキサンチン濃度の少なくとも１０倍であるゼアキサンチンの上昇した量、ビオラキサンチンの上昇した量であって、開花期にあるか又はつぼみが閉じている時期にあるカスミソウの栽培品種ミリオンスターズ（Ｍ．Ｓ）中の前記ビオラキサンチン濃度と比較して前記ビオラキサンチン濃度の少なくとも１．５倍であるビオラキサンチンの上昇した量、又はそれらの任意の組み合わせをさらに含む、請求項７に記載の方法。
【請求項１１】
改変された表現型を有する前記花が、花弁中に全カロテノイド含有量の０.５〜４％のルテイン、花弁中に全カロテノイド含有量の３０〜５０％のベータ−カロチン、又はそれらの組み合わせを含む、請求項７に記載の方法。
【請求項１２】
改変された表現型を有する前記花の花弁表面積の少なくとも１５％が、緑色、黄色、オレンジ色、若しくはそれらの任意の組み合わせであるか、又は改変された表現型を有する前記花の花弁表面積の少なくとも１０％が、白色、黄色、又はその両方である、請求項７に記載の方法。
【請求項１３】
請求項７〜１２のいずれか一項に記載の植物、植物部分、植物の子孫、又は子孫植物の一部。
【請求項１４】
水、１０〜５０ｍｇ／ｌのジベレリン酸、５〜２０ｍｇ／ｌのベンジルアデニン、及びカスミソウ植物又はその一部を含む組成物。
【請求項１５】
ベータ−カロチンの上昇した量を有する植物を選択するための、請求項１４に記載の組成物。
【国際調査報告】
2018506268.tif 000006
2018506268.tif 000007
2018506268.tif 000008